(57)【特許請求の範囲】
【請求項１】
記録媒体に付与する表面効果の種類及び前記表面効果を付与する光沢領域を特定すると共に、該光沢領域の表示時の色を示す光沢制御版画像データと、前記記録媒体に形成する透明画像を特定すると共に該透明画像の表示時の色を示すクリア版画像データと、の各々の表示有りまたは表示無しを指定した表示情報の入力を受け付ける受付手段と、
前記光沢制御版画像データ及び前記クリア版画像データの内、前記表示情報によって表示有りを指定された画像データと、有色画像を示す有色版画像データと、を合成した合成画像を生成する生成手段と、
前記合成画像を表示部に表示する制御を行う表示制御手段と、
を備えた表示処理装置。
【請求項２】
有色画像を描画領域毎に示す第１有色版画像データ、表面効果の種類及び該表面効果を与える光沢領域を描画領域毎に示す第１光沢制御版画像データ、及び透明画像を描画領域毎に示す第１クリア版画像データを含む原稿データに基づいて、画素毎に有色画像の濃度値を規定した前記有色版画像データとしての第２有色版画像データ、前記表面効果の種類に応じた濃度値を画素毎に規定した第２光沢制御版画像データ、及び画素毎に透明画像の濃度値を規定した第２クリア版画像データを生成する第１生成手段と、
前記光沢領域の表示時の色を示す第１表示色情報、前記透明画像の表示時の色を示す第２表示色情報を、予め記憶した記憶手段と、
前記第２光沢制御版画像データによって特定される前記光沢領域の色を前記第１表示色情報の表示色に変換した前記光沢制御版画像データとしての第３光沢制御版画像データ、及び前記第２クリア版画像データによって特定される前記透明画像の色を前記第２表示色情報の表示色に変換した前記クリア版画像データとしての第３クリア版画像データを生成する第２生成手段と、
を更に備え、
前記生成手段は、生成された前記第３光沢制御版画像データ及び生成された前記第３クリア版画像データの内、前記表示情報によって表示有りを指定された画像データと、前記第２有色版画像データと、を合成した合成画像を生成する、
請求項１に記載の表示処理装置。
【請求項３】
前記原稿データに含まれる描画領域の一欄を示すオブジェクト構造リストを作成することによって、該原稿データの構造を解析する構造解析手段と、
前記オブジェクト構造リストによって示される前記描画領域を、前記有色画像を示す第１描画領域群、前記光沢領域を示す第２描画領域群、及び前記透明画像を示す第３描画領域群に分類する分類手段と、
を有する解析手段を更に備え、
前記第１生成手段は、前記解析手段による解析結果に基づいて、前記第１描画領域群に属する描画領域を統合した画像データに基づいて前記第２有色版画像データを生成し、前記第２描画領域群に属する描画領域を統合した画像データに基づいて前記第２光沢制御版画像データを生成し、前記第３描画領域群に属する描画領域を統合した画像データに基づいて前記第２クリア版画像データを生成する、
請求項２に記載の表示処理装置。
【請求項４】
前記分類手段は、前記第２描画領域群を、前記表面効果の種類毎に更に分類し、
前記第１生成手段は、前記第２描画領域群に属する描画領域を前記表面効果の種類毎に統合した複数の前記第２光沢制御版画像データを生成し、
前記記憶手段は、前記表面効果の種類毎に前記光沢領域の表示時の色を示した複数種類の前記第１表示色情報を記憶し、
前記第２生成手段は、前記第２光沢制御版画像データによって特定される前記光沢領域の色を、該光沢領域の表面効果の種類に応じた前記第１表示色情報の表示色に変換した前記第３光沢制御版画像データを生成し、
前記受付手段は、前記光沢領域の表面効果の種類毎に生成された前記第３光沢制御版画像データ及び前記第３クリア版画像データの各々の表示有りまたは表示無しを指定した前記表示情報の入力を受け付け、
前記生成手段は、１または複数種類の前記第３光沢制御版画像データ、及び前記第３クリア版画像データの内、前記表示情報によって表示有りを指定された画像データと、前記第２有色版画像データと、を合成した合成画像を生成する、請求項３に記載の表示処理装置。
【請求項５】
前記透明画像及び前記表面効果は、透明現像剤を記録媒体に付与することによって形成される請求項１〜請求項４の何れか１項に記載の表示処理装置。
【請求項６】
原稿データに基づいて記録媒体に画像を形成する印刷手段と、前記印刷手段が実行する印刷の結果を推定したプレビュー画像を示す合成画像を表示部に表示する表示処理装置と、を備えた画像形成システムであって、
前記表示処理装置は、
前記原稿データに基づいて作成された、記録媒体に付与する表面効果の種類及び前記表面効果を付与する光沢領域を特定すると共に、該光沢領域の表示時の色を示す光沢制御版画像データと、前記記録媒体に形成する透明画像を特定すると共に該透明画像の表示時の色を示すクリア版画像データと、の各々の表示有りまたは表示無しを指定した表示情報の入力を受け付ける受付手段と、
前記光沢制御版画像データ及び前記クリア版画像データの内、前記表示情報によって表示有りを指定された画像データと、有色画像を示す有色版画像データと、を合成した合成画像を生成する生成手段と、
前記合成画像を表示部に表示する制御を行う表示制御手段と、
を備えた画像形成システム。
【請求項７】
コンピュータに、
記録媒体に付与する表面効果の種類及び前記表面効果を付与する光沢領域を特定すると共に、該光沢領域の表示時の色を示す光沢制御版画像データと、前記記録媒体に形成する透明画像を特定すると共に該透明画像の表示時の色を示すクリア版画像データと、の各々の表示有りまたは表示無しを指定した表示情報の入力を受け付けるステップと、
前記光沢制御版画像データ及び前記クリア版画像データの内、前記表示情報によって表示有りを指定された画像データと、有色画像を示す有色版画像データと、を合成した合成画像を生成するステップと、
前記合成画像を表示部に表示する制御を行うステップと、
を実行させるための表示処理プログラム。
【発明の詳細な説明】
【技術分野】
【０００１】
本発明は、表示処理装置、画像形成システム、及び表示処理プログラムに関する。
【背景技術】
【０００２】
従来、ＣＭＹＫの４色のトナーの他に、透明な現像剤を用いて画像を印刷する画像形成装置が存在する。透明な現像剤を用いることにより、記録媒体の面において視覚的な効果や触覚的な効果（表面効果という）が実現される。また、透明な現像剤を用いて画像を形成することにより、改竄防止や偽造防止等に用いる透明な画像を形成することができる。このような画像形成装置において、印刷前に、印刷結果を推定した画像を表示する、所謂、プレビュー表示を行う技術が知られている。例えば特許文献１には、透明トナーで印刷されるべき画像部分をプレビュー表示する技術が開示されている。
【発明の概要】
【発明が解決しようとする課題】
【０００３】
しかしながら、特許文献１に開示された技術では、透明トナーを付与する全領域について一律に表示または非表示の切り替えを行っている。このため、透明トナーを用いて表面効果を付与する領域と、透明トナーを用いて印刷する透明画像と、が混在する場合には、表面効果の与えられる領域と透明画像とを切り替えてプレビュー表示することはできなかった。
【０００４】
本発明は、上記に鑑みてなされたものであって、表面効果の与えられる領域と、透明画像と、を切り替えてプレビュー表示することができる、表示処理装置、画像形成システム、及び表示処理プログラムを提供することを主な目的とする。
【課題を解決するための手段】
【０００５】
上述した課題を解決し、目的を達成するために、本発明の表示処理装置は、受付手段と、生成手段と、表示制御手段と、を備える。受付手段は、記録媒体に付与する表面効果の種類及び前記表面効果を付与する光沢領域を特定すると共に、該光沢領域の表示時の色を示す光沢制御版画像データと、前記記録媒体に形成する透明画像を特定すると共に該透明画像の表示時の色を示すクリア版画像データと、の各々の表示有りまたは表示無しを指定した表示情報の入力を受け付ける。生成手段は、前記光沢制御版画像データ及び前記クリア版画像データの内、前記表示情報によって表示有りを指定された画像データと、有色画像を示す有色版画像データと、を合成した合成画像を生成する。表示制御手段は、前記合成画像を表示部に表示する制御を行う。
【０００６】
また、本発明の画像形成システムは、原稿データに基づいて記録媒体に画像を形成する印刷手段と、前記印刷手段が実行する印刷の結果を推定したプレビュー画像を示す合成画像を表示部に表示する表示処理装置と、を備えた画像形成システムである。前記表示処理装置は、受付手段と、生成手段と、表示制御手段と、を備える。受付手段は、前記原稿データに基づいて作成された、記録媒体に付与する表面効果の種類及び前記表面効果を付与する光沢領域を特定すると共に、該光沢領域の表示時の色を示す光沢制御版画像データと、前記記録媒体に形成する透明画像を特定すると共に該透明画像の表示時の色を示すクリア版画像データと、の各々の表示有りまたは表示無しを指定した表示情報の入力を受け付ける。生成手段は、前記光沢制御版画像データ及び前記クリア版画像データの内、前記表示情報によって表示有りを指定された画像データと、有色画像を示す有色版画像データと、を合成した合成画像を生成する。表示制御手段は、前記合成画像を表示部に表示する制御を行う。
【０００７】
また、本発明の表示処理プログラムは、コンピュータに、記録媒体に付与する表面効果の種類及び前記表面効果を付与する光沢領域を特定すると共に、該光沢領域の表示時の色を示す光沢制御版画像データと、前記記録媒体に形成する透明画像を特定すると共に該透明画像の表示時の色を示すクリア版画像データと、の各々の表示有りまたは表示無しを指定した表示情報の入力を受け付けるステップと、前記光沢制御版画像データ及び前記クリア版画像データの内、前記表示情報によって表示有りを指定された画像データと、有色画像を示す有色版画像データと、を合成した合成画像を生成するステップと、前記合成画像を表示部に表示する制御を行うステップと、を実行させるための表示処理プログラムである。
【発明の効果】
【０００８】
本発明によれば、表面効果の与えられる光沢領域と、透明画像と、を切り替えてプレビュー表示することができる、表示処理装置、画像形成システム、及び表示処理プログラムを提供することができる。
【図面の簡単な説明】
【０００９】
【図１】図１は、実施形態１の画像形成システムの概略構成例を示すブロック図である。
【図２】図２は、実施形態１及び実施形態２のホスト装置を示す機能ブロック図である。
【図３】図３は、第１有色版画像データの一例を示す図である。
【図４】図４は、表面効果の種類を例示する図である。
【図５】図５は、第１光沢制御版画像データの一例を示す図である。
【図６】図６は、第１クリア版画像データの一例を示す図である。
【図７】図７は、原稿データ生成部を示す機能ブロック図である。
【図８】図８は、表示される画面例を示す図である。
【図９】図９は、表示される画面例を示す図である。
【図１０】図１０は、濃度値選択テーブルの一例を示す図である。
【図１１】図１１は、原稿データの構成の一例を示す模式図である。
【図１２】図１２は、入力画面の一例を示す模式図である。
【図１３】図１３は、実施形態１の表示処理部における画像表示処理の手順を示すシーケンス図である。
【図１４】図１４は、実施形態１の画像表示処理の手順を示すフローチャートである。
【図１５】図１５は、実施形態１の分離処理を示すフローチャートである。
【図１６】図１６は、実施形態１の表示画像生成処理を示すフローチャートである。
【図１７】図１７は、実施形態１の合成画像生成処理を示すフローチャートである。
【図１８】図１８は、実施形態１の画像表示処理を実行することによって生成される合成画像の一例を示す模式図である。
【図１９】図１９は、実施形態１のＤＦＥの構成例を示すブロック図である。
【図２０】図２０は、表面効果選択テーブルの一例を示す図である。
【図２１】図２１は、印刷装置を示す概略図である。
【図２２】図２２は、表示処理部における画像表示処理の手順を示すシーケンス図である。
【図２３】図２３は、実施形態２の入力画面の一例を示す模式図である。
【図２４】図２４は、実施形態２の画像表示処理を実行することによって生成される合成画像の一例を示す模式図である。
【図２５】図２５は、画像形成システムの構成を例示する図である。
【図２６】図２６は、サーバ装置の機能的構成を示すブロック図である。
【図２７】図２７は、ホスト装置を示す機能ブロック図である。
【図２８】図２８は、画像表示処理の手順を示すフローチャートである。
【図２９】図２９は、画像処理の手順を示すフローチャートである。
【図３０】図３０は、ホスト装置及びＤＦＥのハードウェア構成例を示すブロック図である。
【発明を実施するための形態】
【００１０】
以下、添付図面を参照しながら、本発明に係る表示処理装置、画像形成システム、及び表示処理プログラムの実施形態を詳細に説明する。
【００１１】
（実施形態１）
図１は、本実施形態に係る画像形成システム１００の概略構成例を示すブロック図である。図１に示すように、画像形成システム１００は、ホスト装置１１、プリンタ制御装置（ＤＦＥ：Ｄｉｇｉｔａｌ  Ｆｒｏｎｔ  Ｅｎｄ）（以下、ＤＦＥと称する）３０、インタフェースコントローラ（ＭＩＣ：Ｍｅｃｈａｎｉｓｍ  Ｉ／Ｆ  Ｃｏｎｔｒｏｌｌｅｒ）（以下、ＭＩＣと称する場合がある）４０、及び印刷装置６０を備える。これらの、ホスト装置１１、ＤＦＥ３０、ＭＩＣ４０、及び印刷装置６０は、互いにデータ授受可能に有線または無線の通信回線を介して接続されている。
【００１２】
ホスト装置１１は、例えば、ＰＣ（Ｐｅｒｓｏｎａｌ  Ｃｏｍｐｕｔｅｒ）等で構成され、原稿データ生成部１０、印刷データ生成部２０、及び表示処理部１５等の機能部を含む。なお、本実施形態では、ホスト装置１１は、原稿データ生成部１０、印刷データ生成部２０、及び表示処理部１５の各機能部を含む構成であるとして説明するが、これらの原稿データ生成部１０、印刷データ生成部２０、及び表示処理部１５の各機能部は、別体として構成（例えば、別のパーソナルコンピュータに搭載）されていてもよく、１つの装置に一体的に設けられた構成に限られない。
【００１３】
また、ホスト装置１１は、インターネット等の通信回線に接続され、通信回線を介してＤＦＥ３０にデータ授受可能に接続された構成であってもよい。
【００１４】
図２には、ホスト装置１１の具体的な構成の一例を示した。
【００１５】
図２に示すように、ホスト装置１１は、入力部９９Ａ、操作部９９Ｂ、出力部９９Ｃ、表示部９９Ｄ、及び制御部１１１を備える。
【００１６】
入力部９９Ａは、パーソナルコンピュータ等の外部装置から、後述する第１有色版画像データを受け付ける。操作部９９Ｂは、各種操作指示を行うときにユーザによって操作される入力デバイスである。操作部９９Ｂとしては、例えば、ボタン、リモコン受信部、および、ＩＣカードなどから情報を読取るカードリーダなどが挙げられる。なお、操作部９９Ｂがキーボードを備えるように構成してもよい。
【００１７】
出力部９９Ｃは、ＤＦＥ３０との間で通信を行うためのインタフェース装置である。表示部９９Ｄは、各種情報を表示する表示デバイスであり、公知の表示デバイスを用いる。
【００１８】
制御部１１１は、ホスト装置１１全体を制御する手段であり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータである。
【００１９】
本実施形態では、図２に示すように、ホスト装置１１は、制御部１１１の有する機能部として、上記原稿データ生成部１０、印刷データ生成部２０、及び表示処理部１５等を有する。これらの機能部、及び各機能部に含まれる各機能は、制御部１１１のＣＰＵがＲＯＭ等に格納された各種プログラムをＲＡＭ上に展開して実行することにより実現される。また、これらの機能のうちの少なくとも一部を個別の回路（ハードウェア）で実現することも可能である。
【００２０】
原稿データ生成部１０は、第１有色版画像データ（詳細後述）を受け付ける。そして、この第１有色版画像データに、表面効果の与えられる光沢領域及び表面効果の種類や、透明画像及び透明画像を形成する領域を示す、特色版の情報（後述する、第１光沢制御版画像データ、及び第１クリア版画像データ）を付加した原稿データを生成し、印刷データ生成部２０及び表示処理部１５へ出力する。なお、原稿データ生成部１０では、この第１有色版画像データも作成してもよい。
【００２１】
印刷データ生成部２０は、原稿データに基づいて印刷データ（詳細後述）を生成する。表示処理部１５は、原稿データに基づいて、原稿データの印刷結果を推定したプレビュー画像を示す合成画像を生成する（詳細後述）。
【００２２】
原稿データとは、具体的には、第１有色版画像データ、第１光沢制御版画像データ、及び第１クリア版画像データを含む画像データである。
【００２３】
第１有色版画像データ、第１クリア版画像データ、及び第１光沢制御版画像データは、例えば、ＰＤＦ形式（Ｐｏｒｔａｂｌｅ  Ｄｏｃｕｍｅｎｔ  Ｆｏｒｍａｔ）で頁単位で生成される。そして、これらの第１クリア版画像データ、第１光沢制御版画像データ、及び第１有色版画像データを統合して、原稿データが生成される。なお、第１クリア版画像データ、第１光沢制御版画像データ、及び第１有色版画像データのデータ形式は、ＰＤＦに限定されるものではなく、任意の形式を用いることができる。また、各第１クリア版画像データ、第１光沢制御版画像データ、及び第１有色版画像データにおいて、後述する各描画領域は、例えば、ベクター形式で表現されている。
【００２４】
詳細には、第１有色版画像データは、有色現像剤を用いて印刷する有色画像を描画領域毎に示す画像データである。
【００２５】
具体的には、第１有色版画像データとは、描画領域毎にＲＧＢやＣＭＹＫ等の有色の濃度値を規定した画像データである。図３は、第１有色版画像データの一例を示す説明図である。図３において、「Ａ」、「Ｂ」、「Ｃ」等の描画領域ごとにユーザが指定した色に対応する濃度値が付与される。各描画領域の濃度値は、例えば、０〜１００％の濃度値で示される（「０」〜「２５５」等で表してもよい）。
【００２６】
有色現像剤としては、ＣＭＹＫ等の各色材を含む液体やトナー等が挙げられる。本実施形態では、例えば、有色現像剤として、ＣＭＹＫの各々の色材を含む有色トナーを用いる場合を説明する。
【００２７】
第１光沢制御版画像データは、表面効果の種類及び該表面効果を与える光沢領域を描画領域毎に示す画像データである。表面効果とは、記録媒体に付与する視覚的または触覚的な効果である。この光沢領域は、透明現像剤を記録媒体に付与することによって実現する。
【００２８】
透明現像剤とは、色材を含まない無色透明な現像剤である。なお、透明及び無色とは、可視光線の透過率が７０％以上であることを示す。本実施形態では、透明現像剤として、透明なトナー（以下、クリアトナーと称する）を用いる場合を説明する。
【００２９】
なお、クリアトナーとは、色材を含まないトナーであり、透明なトナーである。
【００３０】
表面効果の種類としては、図４に例示されるように、大別して４種類あり、光沢の度合（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）、及びつや消し（ＰＭ：Ｐｒｅｍｉｕｍ  Ｍａｔｔ）の４種類である場合を説明するが、更に細かな種類を設定してもよい。
【００３１】
第１光沢制御版画像データでは、第１有色版画像データと同様に、各光沢領域（描画領域）の濃度値は、例えば、０〜１００％の濃度値（「０」〜「２５５」等で表してもよい）で示される。この濃度値に、表面効果の種類が対応づけられる。図４中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。
【００３２】
なお、有色画像のどの領域に表面効果を与えるのかやその領域にどの種類の表面効果を与えるのかについては、ユーザにより指定される。ホスト装置１１の原稿データ生成部１０では、ユーザにより指定された各描画領域について、ユーザが指定した表面効果に対応する濃度値をセットすることにより、第１光沢制御版画像データを生成する。濃度値と表面効果の種類との対応関係については後述する。
【００３３】
図５は、第１光沢制御版画像データの一例を示す説明図である。図５の第１光沢制御版画像データの例では、ユーザにより、描画領域「ＡＢＣ」に表面効果「ＰＧ（鏡面光沢）」が付与され、描画領域「（長方形の図形）」に表面効果「Ｇ（ベタ光沢）」が付与され、描画領域「（円形の図形）」に表面効果「Ｍ（網点マット）」が付与された例を示している。なお、各表面効果に設定された濃度値は、後述の濃度値選択テーブルで、表面効果の種類に対応して定められた濃度値である。
【００３４】
第１クリア版画像データは、クリアトナー（透明現像剤）を用いて印刷する透明画像を描画領域毎に示す画像データである。なお、透明画像とは、表面効果の与えられる光沢領域以外の領域における、クリアトナーを用いて形成される描画領域を示す。この透明画像としては、たとえば、ウォーターマーク等があげられる。
【００３５】
図６は、第１クリア版画像データの一例を示す説明図である。図６の例では、ユーザにより、透明画像としてのウォーターマーク「Ｓａｌｅ」が指定されている。
【００３６】
このように、第１クリア版画像データ、及び第１光沢制御版画像データは、ホスト装置１１の原稿データ生成部１０において、第１有色版画像データとは別のプレーンで生成される。
【００３７】
図７には、原稿データ生成部１０の機能ブロック図を示した。
【００３８】
原稿データ生成部１０は、入力制御部１２４と、画像処理部１２０と、表示制御部１２１と、版データ生成部１２２と、記憶部１２３と、を主に備えている。
【００３９】
入力制御部１２４は、入力部９９Ａ（図２参照）からの各種入力を受け付けて入力を制御する。例えばユーザは、入力部９９Ａを操作することにより、記憶部１２３に記憶された各種画像（例えば写真、文字、図形、これらを合成した画像等）のうち表面効果を与えるべき画像、すなわち第１有色版画像データ（以下、「対象画像」と呼ぶ場合もある。）を指定する画像指定情報を入力することができる。なお、これに限らず、画像指定情報の入力方法は任意である。
【００４０】
表示制御部１２１は、表示部９９Ｄ（図２参照）に対する各種情報の表示を制御する。本実施形態では、表示制御部１２１は、入力制御部１２４で画像指定情報を受け付けた場合、その画像指定情報で指定された画像を記憶部１２３から読み出し、その読み出した画像を画面上に表示するように表示部９９Ｄを制御する。
【００４１】
ユーザは、表示部９９Ｄに表示された対象画像を確認しながら、入力部９９Ａを操作することにより、表面効果を与える光沢領域および当該表面効果の種類を指定する指定情報を入力することができる。なお、指定情報の入力方法は、これに限られるものではなく、任意である。
【００４２】
より具体的には、表示制御部１２１は、例えば、図８に例示される画面を表示部９９Ｄに表示させる。この図８は、Ａｄｏｂｅ  Ｓｙｓｔｅｍ（Ｒ）社が販売しているＩｌｌｕｓｔｒａｔｏｒにプラグインを組み込んだ場合に表示される画面の例である。図８に示される画面では、処理対象である対象画像データ（第１有色版画像データ）によって表される画像が表示され、ユーザが入力部９９Ａを介してマーカ追加ボタンを押下して、表面効果を与えたい光沢領域を指定する操作入力を行うことで、表面効果を与える光沢領域が指定される。ユーザは表面効果を与える全ての光沢領域に対してこのような操作入力を行うことになる。そして、表示制御部１２１は、例えば、指定された光沢領域（描画領域）毎に、図９に例示される画面を表示部９９Ｄに表示させる。図９に示される画面では、表面効果を与えるものとして指定された各光沢領域（描画領域）において当該光沢領域の描画領域を示す画像が表され、当該画像（描画領域）に対して与えたい表面効果の種類を指定する操作入力を入力部９９Ａを介して行うことで、当該領域に対して与える表面効果の種類が指定される。
【００４３】
図７に戻り、画像処理部１２０は、対象画像に対して、ユーザからの入力部９９Ａ（図２参照）を介した指示に基づいて、各種画像処理を行う。
【００４４】
版データ生成部１２２は、入力制御部１２４で指定情報（表面効果を与える光沢領域および当該表面効果の種類）を受け付けた場合、当該指定情報に基づいて、第１光沢制御版画像データを生成する。また、版データ生成部１２２は、入力制御部１２４で、透明画像の指定を受け付けた場合、当該ユーザからの指定に従って、第１クリア版データを生成する。
【００４５】
ここで、記憶部１２３には、表面効果の種類と、当該表面効果の種類に対応する濃度値とを記憶する濃度値選択テーブルが格納される。図１０は、濃度値選択テーブルの一例を示す図である。図１０の例では、「ＰＧ」（鏡面光沢）に対応する濃度値は「９８％」であり、「Ｇ」（ベタ光沢）に対応する濃度値は「９０％」であり、「Ｍ」（網点マット）に対応する濃度値は「１６％」であり、「ＰＭ」（つや消し）に対応する濃度値は「６％」である。なお、表面効果の種類は、更に細分化して設定可能としてもよい。
【００４６】
図７に戻り、版データ生成部１２２は、図１０に示す濃度値選択テーブルを参照しながら、ユーザにより所定の表面効果が指定された描画領域の濃度値を、当該表面効果の種類に応じた値に設定することで、第１光沢制御版画像データを生成する。版データ生成部１２２で生成された第１光沢制御版画像データは、点の座標と、それを結ぶ線や面の方程式のパラメータ、および、塗り潰しや特殊効果などを示す描画領域の集合として表現されるベクター形式のデータである。
【００４７】
版データ生成部１２２は、上記第１光沢制御版画像データと、対象画像としての第１有色版画像データと、第１クリア版画像データとを統合した原稿データを生成して、印刷データ生成部２０及び表示処理部１５へ渡す。
【００４８】
次に、印刷データ生成部２０について説明する。
【００４９】
印刷データ生成部２０は、受け付けた原稿データに基づいて印刷データを生成する。印刷データは、原稿データと、プリンタに対して指定するジョブコマンドと、を含んで構成される。このジョブコマンドには、例えば、プリンタの設定、集約の設定、両面の設定などが挙げられる。なお、印刷データは、ＰｏｓｔＳｃｒｉｐｔのようなページ記述言語（ＰＤＬ）に変換されてもよいし、ＤＦＥ３０が対応していれば、ＰＤＦ形式のままでもよい。
【００５０】
次に、図２に戻り、表示処理部１５について説明する。
【００５１】
表示処理部１５は、原稿データ生成部１０から原稿データを受け付け、原稿データの印刷結果を推定したプレビュー画像の合成画像を生成し、該合成画像を表示部９９Ｄに表示させる。
【００５２】
図２に示すように、表示処理部１５は、原稿データ受付部２００Ａ、解析部２００Ｌ（解析手段）、分類画像データ生成部２００Ｆ（第１生成手段）、分類画像データ記憶部２００Ｇ、表示画像生成部２００Ｍ（第２生成手段）、受付部２００Ｋ（受付手段）、表示管理情報記憶部２００Ｉ、表示制御部２００Ｊ、及び合成画像生成部２００Ｈ（第３生成手段）を備える。
【００５３】
また、解析部２００Ｌは、構造解析部２００Ｂ（構造解析手段）、オブジェクト構造リスト記憶部２００Ｃ、分類部２００Ｄ（分類手段）、及び分類リスト記憶部２００Ｅを備える。
【００５４】
なお、オブジェクト構造リスト記憶部２００Ｃ、後述する一次メモリ２０１Ｂ、分類リスト記憶部２００Ｅ、分類画像データ記憶部２００Ｇ、及び表示管理情報記憶部２００Ｉは、ＲＡＭ等の一次メモリであってもよいし、ハードディスクドライブ装置（ＨＤＤ）等の記憶媒体であってもよい。
【００５５】
原稿データ受付部２００Ａは、原稿データ生成部１０から、原稿データを受け付ける。原稿データ受付部２００Ａでは、原稿データを、表示処理部１５内で参照可能な状態とする。具体的には、原稿データ受付部２００Ａは、プレビュー対象として指示された頁の原稿データのファイル拡張子、もしくはファイルヘッダーを参照するなどして、表示処理部１５内で取扱い可能なファイル形式であるか否かを判断する。そして、原稿データ受付部２００Ａは、ファイルロックを解除する等して取扱い可能な状態とする。そして、原稿データ受付部２００Ａは、該原稿データを、原稿データ受付部２００Ａに設けられた一次メモリ２０１Ｂに展開する。
【００５６】
解析部２００Ｌは、原稿データ受付部２００Ａで受け付けた原稿データを解析する。解析部２００Ｌは、具体的には、上述のように、構造解析部２００Ｂ（構造解析手段）、オブジェクト構造リスト記憶部２００Ｃ、分類部２００Ｄ（分類手段）、及び分類リスト記憶部２００Ｅを備える。
【００５７】
構造解析部２００Ｂは、一次メモリ２０１Ｂに展開された原稿データのデータ構造を解析し、原稿データの各ページに含まれる描画領域（以下、オブジェクトと称する場合がある）を示すオブジェクト構造リストを作成する。
【００５８】
このオブジェクト構造リストとは、原稿データの各ページに含まれる描画領域の一覧を示す情報である。具体的には、構造解析部２００Ｂは、原稿データの各第１有色画像版画像データ、第１光沢制御版画像データ、及び第１クリア版画像データの各々に含まれる、１または複数の描画領域であるオブジェクトを解析し、オブジェクト毎の描画情報（描画領域の位置、色空間、濃度等）を示す、オブジェクト構造リストを作成する。
【００５９】
図１１には、原稿データの構成の一例を示した。例えば、原稿データ受付部２００Ａが、プレビュー対象の原稿データとして、図１１に示す構成の原稿データを受け付けたとする。
【００６０】
原稿データは、１頁中（同一頁中）に、第１有色画像版画像データ、第１光沢制御版画像データ、及び第１クリア版画像データによって特定される、１または複数の描画領域（オブジェクト）を示す描画情報を含む。図１１には、原稿データが、例えば、１頁目に、オブジェクト１〜オブジェクト５の５つのオブジェクトを含む場合を一例として示した。
【００６１】
図１１に示す例では、オブジェクト１は、第１有色版画像データによって特定される有色画像の描画領域を示す。オブジェクト２は、第１クリア版画像データによって特定される透明画像の描画領域を示す。オブジェクト３〜オブジェクト５は、第１光沢制御版画像データによって特定される描画領域の各々を示す。
【００６２】
原稿データは、オブジェクト毎に、描画情報として、描画領域の位置や、色空間や、濃度を示す情報を含む。描画領域の位置は、例えば、座標情報、または座標情報の集合によって示される。色空間とは、各描画領域（オブジェクト）が、有色画像、透明画像、及び光沢領域の何れであるかを示す。なお、図１１中また後述する各図中では、透明画像を、Ｒ−ｃｌｅａｒと表記する場合がある。また、光沢領域を、Ｒ−ｅｆｆｅｃｔと表記する場合がある。さらに、有色画像を、ＲＧＢと表記する場合がある。また、各オブジェクトの濃度として、濃度値（０〜１００％）が設定されている場合を説明する。なお、図１１に示す例では、第１有色版画像データによって特定される有色画像の描画領域群を、１つのオブジェクト（描画領域）として扱う場合を示した。
【００６３】
図２に戻り、説明を続ける。構造解析部２００Ｂでは、このような原稿データに含まれ得る１または複数の各描画領域について、第１有色版画像データによって特定される有色画像の描画領域、第１クリア版画像データによって特定される透明画像の描画領域、及び第１光沢制御版画像データによって特定される描画領域の何れであるかを解析する。構造解析部２００Ｂでは、各描画領域の描画情報に示される色空間を読み取ることによって、各描画領域（オブジェクト）が、有色画像、光沢領域、及び透明画像の何れであるかを解析する。換言すれば、構造解析部２００Ｂは、各描画領域（オブジェクト）が、第１有色版画像データ、第１光沢制御版画像データ、及び第１クリア版画像データの何れによって特定された描画領域であるかを解析する。
【００６４】
そして、構造解析部２００Ｂでは、更に、原稿データに含まれる、第１有色版画像データによって特定される有色画像の描画領域、第１クリア版画像データによって特定される透明画像の描画領域、及び第１光沢制御版画像データによって特定される描画領域の一欄を示すオブジェクト構造リストを作成する。
【００６５】
このオブジェクト構造リストは、原稿データの頁内に含まれるオブジェクトをツリー構造で示したものである（図１３のオブジェクト構造リスト記憶部２００Ｃに示すオブジェクト構造リストも参照）。
【００６６】
オブジェクト構造リスト記憶部２００Ｃは、構造解析部２００Ｂによる原稿データの解析結果であるオブジェクト構造リストを記憶する。
【００６７】
分類部２００Ｄは、オブジェクト構造リストに示される各オブジェクト（描画領域）を、第１有色版画像データによって特定される有色画像の描画領域群、第１クリア版画像データによって特定される透明画像の描画領域群、及び第１光沢制御版画像データによって特定される描画領域群に分類し、オブジェクト分類リストを生成する。オブジェクト分類リストは、各オブジェクト群から、オブジェクト構造リスト記憶部２００Ｃに格納されている対応するオブジェクトへのポインタのリストとなっており、実際の描画情報は、オブジェクト構造リスト記憶部２００Ｃに格納されている。分類リスト記憶部２００Ｅは、このオブジェクト分類リストを記憶する（図１３の分類リスト記憶部２００Ｅに示すオブジェクト分類リストも参照。なお、図１３では、第１有色版画像データによって特定される有色画像の描画領域群を、有色版オブジェクト群と表記し、第１クリア版画像データによって特定される透明画像の描画領域群を、Ｒ−ｃｌｅａｒオブジェクト群と表記し、第１光沢制御版画像データによって特定される光沢領域の描画領域群を、Ｒ−ｅｆｆｅｃｔオブジェクト群と表記している）。
【００６８】
分類画像データ生成部２００Ｆは、原稿データ、詳細には、上記オブジェクト構造リスト及びオブジェクト分類リストに基づいて、表示用のイメージデータとして、第２有色版画像データ、第２クリア版画像データ、及び第２光沢制御版画像データを生成する。
【００６９】
第２有色版画像データは、第１有色版画像データを表示部９９Ｄで表示可能な形式の表示用のイメージデータに変換したものであり、第１有色版画像データを、１画素あたり例えば８ビットで表現されたラスター形式の画像データに変換したものである。
【００７０】
分類画像データ生成部２００Ｆは、オブジェクト分類リストに示される、第１有色版画像データによって特定される有色画像の描画領域群に対応する描画領域の描画情報を、オブジェクト構造リスト記憶部２００Ｃから読み取る。そして、分類画像データ生成部２００Ｆは、読みとった描画領域群の描画情報をラスター形式に変換した描画情報を統合し、該描画領域群を同一頁上のデータ群とみなし、該描画領域群に含まれる各描画領域の位置関係や前後関係といった情報をもとに画像データを生成することによって、第２有色版画像データを生成する。
【００７１】
第２クリア版画像データは、第１クリア版画像データを表示部９９Ｄで表示可能な形式の表示用のイメージデータに変換したものであり、第１クリア版画像データを、１画素あたり例えば８ビットで表現されたラスター形式の画像データに変換したものである。
【００７２】
分類画像データ生成部２００Ｆは、オブジェクト分類リストに示される、第１クリア版画像データによって特定される透明画像の描画領域群に対応する描画領域の描画情報を、オブジェクト構造リスト記憶部２００Ｃから読み取る。そして、読みとった描画領域群の描画情報をラスター形式に変換した描画情報を統合し、該描画領域群を同一頁上のデータ群とみなし、該描画領域群に含まれる各描画領域の位置関係や前後関係といった情報をもとに画像データを生成することによって、第２クリア版画像データを生成する。
【００７３】
第２光沢制御版画像データは、第１光沢制御版画像データを表示部９９Ｄで表示可能な形式の表示用のイメージデータに変換したものであり、第１光沢制御版画像データを、１画素あたり例えば８ビットで表現されたラスター形式の画像データに変換したものである。
【００７４】
分類画像データ生成部２００Ｆは、オブジェクト分類リストに示される、第１光沢制御版画像データによって特定される光沢領域の描画領域群に対応する描画領域の描画情報を、オブジェクト構造リスト記憶部２００Ｃから読み取る。そして、読みとった描画領域群の描画情報をラスター形式に変換した描画情報を統合し、該描画領域群を同一頁上のデータ群とみなし、該描画領域群に含まれる各描画領域の位置関係や前後関係といった情報をもとに画像データを生成することによって、第２光沢制御版画像データを生成する。
【００７５】
分類画像データ記憶部２００Ｇは、分類画像データ生成部２００Ｆで生成された、第２有色版画像データ、第２光沢制御版画像データ、及び第２クリア版画像データを記憶する。
【００７６】
表示管理情報記憶部２００Ｉは、管理テーブルを格納する。管理テーブルは、光沢領域に対応する表示管理情報と、透明画像に対応する表示管理情報と、を格納する。
【００７７】
表示管理情報は、表示情報、表示色情報、及び透明度情報を含む。表示情報とは、光沢領域及び透明画像の各々を、表示部９９Ｄに表示するか否かを示す情報である。また、表示色情報とは、表示部９９Ｄに表示したときの表示色を示す情報である。また、透明度情報とは、表示部９９Ｄに表示した表示色の透明度を示す情報である。
【００７８】
なお、本実施形態では、表示管理情報は、表示情報、表示色情報、及び透明度情報を含む場合を説明するが、表示管理情報は、少なくとも表示情報及び表示色情報を含んでいればよい。
【００７９】
受付部２００Ｋは、表示情報、表示色情報、及び透明度情報を含む表示管理情報を操作部９９Ｂから受け付け、表示管理情報記憶部２００Ｉの上記管理テーブルに格納する。これらの表示情報、表示色情報、及び透明度情報は、ユーザによる操作部９９Ｂの操作指示によって入力される。
【００８０】
例えば、表示情報及び表示色情報の設定を行うときに表示部９９Ｄに表示するための入力画面を示す入力画面情報を、予め表示管理情報記憶部２００Ｉに記憶しておく。そして、操作部９９Ｂのユーザによる操作によって、表示情報及び表示色情報の設定開始を示す信号や、表示処理の開始を示す信号が表示処理部１５に入力される。すると、表示制御部２００Ｊは、表示管理情報記憶部２００Ｉに格納されている入力画面情報の入力画面を表示部９９Ｄに表示する。そして、受付部２００Ｋは、ユーザによる操作部９９Ｂによる操作指示によって設定された各種情報を上記管理テーブルに格納する。
【００８１】
例えば、表示部９９Ｄに、図１２（Ａ）に示す入力画面１０９０を表示する。入力画面１０９０には、プレビュー表示対象の原稿データを指定するためのＰＤＦ選択ボタン１０９Ｅ、透明画像の表示の有無を選択するためのチェックボックス１０９Ａが含まれる。また、入力画面１０９０には、透明画像の表示色や透明度等の詳細情報入力画面への切り替えを指示するための切り替えボタン１０９Ｂが設けられている。また、入力画面１０９０には、表面効果の与えられる光沢領域の表示の有無を選択するためのチェックボックス１０９Ｃが含まれる。また、入力画面１０９０には、表面効果の与えられる光沢領域の表示色や、該光沢領域の透明度等の、詳細情報入力画面への切り替えを指示するための切り替えボタン１０９Ｄが設けられている。
【００８２】
なお、入力画面１０９０には、プレビュー表示対象の原稿データの原稿画像やプレビュー画像を表示するための表示画面１１０Ｅも設けられている。
【００８３】
入力画面１０９０において、透明画像の表示の有無を選択するためのチェックボックス１０９Ａにチェックマークが入力されたとする。この場合、受付部２００Ｋは、透明画像の表示有りを示す表示ＯＮ（表示オン）情報を表示情報として、透明画像を示す情報に対応づけて管理テーブルに格納する。
【００８４】
また、ユーザによる操作部９９Ｂの指示によって、切り替えボタン１０９Ｂが操作指示されると、表示部９９Ｄには、透明画像表示の詳細入力のための入力画面１１２が表示される（図１２（Ｂ）参照）。
【００８５】
入力画面１１２には、透明画像の表示時の色である表示色を設定するための表示色設定欄１１２Ａ、及び透明画像の表示時の透明度を設定するための透明度設定欄１１２Ｂが含まれる。そして、ユーザによる操作部９９Ｂの操作によって、表示色設定欄１１２Ａのプルダウンボタンが操作指示されることで、表示色が選択可能となっている。また、透明度についても、任意の透明度が入力可能になっている。
【００８６】
図１２（Ｂ）に示す例では、透明画像表示時の表示色として水色が設定され、表示時の透明度として８０％が設定されている。
【００８７】
この場合、受付部２００Ｋは、透明画像の表示時の表示色を示す色情報として「水色」を示す情報を、透明画像を示す情報に対応づけて管理テーブルに格納する。また、受付部２００Ｋでは、透明画像の表示時の透明度を示す透明度情報として「８０％」を示す情報を、透明画像を示す情報に対応づけて管理テーブルに格納する。
【００８８】
また、入力画面１０９０において、表面効果の与えられる光沢領域の表示の有無を選択するためのチェックボックス１０９Ｃにチェックマークが入力されたとする。この場合、受付部２００Ｋは、光沢領域の表示有りを示す表示ＯＮ（表示オン）情報を表示情報として、光沢領域を示す情報に対応づけて管理テーブルに格納する。また、ユーザによる操作部９９Ｂの指示によって切り替えボタン１０９Ｄが操作指示されると、表示部９９Ｄには、表面効果の与えられる光沢領域について、表示の詳細入力のための入力画面１１４が表示される（図１２（Ｃ）参照）。
【００８９】
入力画面１１４には、光沢領域の表示時の色である表示色を設定するための表示色設定欄１１４Ａ、及び光沢領域の表示時の透明度を設定するための透明度設定欄１１４Ｂが含まれる。そして、ユーザによる操作部９９Ｂの操作によって、表示色設定欄１１４Ａのプルダウンボタンが操作指示されることで、表示色が選択可能となっている。また、透明度についても、任意の透明度が入力可能になっている。
【００９０】
透明度は、０〜１００の整数値で指定される。透明度０％はベタを示す。透明度１００％は無色を示し、背景の色が完全に見える状態になる。
【００９１】
図１２（Ｃ）に示す例では、表面効果の与えられる領域である光沢領域の表示時の表示色として水色が設定され、表示時の透明度として８０％が設定されている。
【００９２】
この場合、受付部２００Ｋは、表面効果の与えられる領域である光沢領域の表示時の表示色を示す表示色情報として「水色」を示す情報を、光沢領域を示す情報に対応づけて管理テーブルに格納する。また、受付部２００Ｋでは、表面効果の与えられる領域の表示時の透明度を示す透明度情報として「８０％」を示す情報を、光沢領域を示す情報に対応づけて管理テーブルに格納する。
【００９３】
一方、入力画面１０９０において、ユーザによる操作部９９Ｂの操作指示により、透明画像の表示の有無を選択するためのチェックボックス１０９Ａのチェックマークが外されたとする。この場合、受付部２００Ｋは、透明画像の表示無しを示す表示ＯＦＦ（表示オフ）情報を、透明画像を示す情報に対応づけて管理テーブルに格納する。
【００９４】
同様に、入力画面１０９０において、ユーザによる操作部９９Ｂの操作指示により、表面効果の与えられる領域の表示の有無を選択するためのチェックボックス１０９Ｃのチェックマークが外されたとする。この場合、受付部２００Ｋは、光沢領域の表示無しを示す表示ＯＦＦ（表示オフ）情報を、光沢領域を示す情報に対応づけて管理テーブルに格納する。
【００９５】
図２に戻り、説明を続ける。
【００９６】
ここで、クリアトナーを用いて記録媒体上に印刷された後の光沢領域や透明画像の色は、無色透明である。このため、表示画像生成部２００Ｍは、分類画像データ記憶部２００Ｇに格納されている第２光沢制御版画像データの光沢領域の色及び透明度を、表示管理情報記憶部２００Ｉに格納されている光沢領域に対応する表示色情報（第１表示色情報）の表示色及び透明度情報の透明度に変換し、第３光沢制御版画像データを生成する。
【００９７】
同様に、表示画像生成部２００Ｍは、分類画像データ記憶部２００Ｇに格納されている第２クリア版画像データの透明画像の色及び透明度を、表示管理情報記憶部２００Ｉに格納されている透明画像に対応する表示色情報（第２表示色情報）の表示色及び透明度情報の透明度に変換し、第３クリア版画像データを生成する。
【００９８】
合成画像生成部２００Ｈは、表示画像生成部２００Ｍで生成された、第３光沢制御版画像データ及び第３クリア版画像データの少なくとも一方と、分類画像データ記憶部２００Ｇに格納されている第２有色版画像データと、を合成し、原稿データの印刷結果を推定したプレビュー画像を示す、合成画像を生成する。
【００９９】
具体的には、合成画像生成部２００Ｈは、表示管理情報記憶部２００Ｉに格納されている管理テーブルを読取り、光沢領域及び透明画像の内、表示オンを示す表示情報の対応づけられた光沢領域及び透明画像の少なくとも一方を読み取る。そして、合成画像生成部２００Ｈは、光沢領域の表示情報が表示オンを示す場合には、第３光沢制御版画像データを表示画像生成部２００Ｍから読み取り、透明画像の表示状態が表示オンを示す場合には、第３クリア版画像データを表示画像生成部２００Ｍから読み取る。
【０１００】
そして、合成画像生成部２００Ｈは、第２有色版画像データと、読み取った第３光沢制御版画像データ及び第３クリア版画像データの少なくとも一方と、を合成し、合成画像を生成する。
【０１０１】
表示制御部２００Ｊは、合成画像生成部２００Ｈで生成された合成画像を表示部９９Ｄに表示する。
【０１０２】
次に、表示処理部１５で実行する画像表示処理を説明する。
【０１０３】
図１３には、表示処理部１５における画像表示処理の手順を示すシーケンス図を示した。なお、図１３は、図１１に示す原稿データの印刷結果を推定した合成画像を表示部９９Ｄに表示するまでの、画像表示処理の手順を示すシーケンス図である。
【０１０４】
まず、表示処理部１５では、図１２に示す入力画面１０９０を表示部９９Ｄに表示する。そして、ユーザによる操作部９９Ｂの操作指示によって、表示対象の原稿データの選択指示を行うためのＰＤＦ選択ボタン１０９Ｅが操作指示される。そして、プレビュー対象の原稿データが選択されると、原稿データ受付部２００Ａが該指示された原稿データを読み取り、一次メモリ２０１Ｂに展開する（ＳＥＱ１、ＳＥＱ２）。
【０１０５】
次に、構造解析部２００Ｂは、ユーザによる操作部９９Ｂの操作指示によって表示対象の頁が選択されると（ＳＥＱ４）、該選択結果に対応する頁の原稿データを一次メモリ２０１Ｂから読み取り、解析する（ＳＥＱ３、ＳＥＱ５）。
【０１０６】
そして構造解析部２００Ｂは、解析結果であるオブジェクト構造リストを、オブジェクト構造リスト記憶部２００Ｃに格納する（ＳＥＱ６）。
【０１０７】
分類部２００Ｄは、オブジェクト構造リスト記憶部２００Ｃに格納された、オブジェクト構造リストに示される各オブジェクト１〜オブジェクト５を、第１有色版画像データによって特定される有色画像の描画領域群、第１クリア版画像データによって特定される透明画像の描画領域群、及び第１光沢制御版画像データによって特定される光沢領域の描画領域群、の３つのオブジェクト群に分類し、オブジェクト分類リストを生成する（ＳＥＱ７、ＳＥＱ８）。
【０１０８】
そして、分類画像データ生成部２００Ｆは、オブジェクト分類リストによって示される、有色画像の描画領域群を統合すると共にラスタライズを行い、第２有色版画像データを生成する。また、分類画像データ生成部２００Ｆは、オブジェクト分類リストによって示される、透明画像の描画領域群を統合すると共にラスタライズを行い、第２クリア版画像データを生成する。さらに、分類画像データ生成部２００Ｆは、光沢領域の描画領域群を統合すると共にラスタライズを行い、第２光沢制御版画像データを生成する。これによって、分類画像データ生成部２００Ｆは、第２有色版画像データ、第２光沢制御版画像データ、及び第２クリア版画像データを生成する（ＳＥＱ９、ＳＥＱ１０）。
【０１０９】
表示画像生成部２００Ｍは、分類画像データ記憶部２００Ｇに格納されている第２光沢制御版画像データの光沢領域の色及び透明度を、表示管理情報記憶部２００Ｉに格納されている光沢領域に対応する表示色情報（第１表示色情報）の表示色及び透明度情報の透明度に変換し、第３光沢制御版画像データを生成する。また、表示画像生成部２００Ｍは、分類画像データ記憶部２００Ｇに格納されている第２クリア版画像データの透明画像の色及び透明度を、表示管理情報記憶部２００Ｉに格納されている透明画像に対応する表示色情報（第２表示色情報）の表示色及び透明度情報の透明度に変換し、第３クリア版画像データを生成する（ＳＥＱ１１、ＳＥＱ１２）。
【０１１０】
なお、表示管理情報記憶部２００Ｉの上記管理テーブルは、操作部９９Ｂから受け付けた、表示情報、表示色情報、及び透明度情報を含む表示管理情報を格納する（ＳＥＱ１４、ＳＥＱ１５）。
【０１１１】
合成画像生成部２００Ｈは、表示画像生成部２００Ｍで生成された、第３クリア版画像データ及び第３光沢制御版画像データの少なくとも一方と、分類画像データ記憶部２００Ｇに格納されている第２有色版画像データと、を合成し、原稿データの印刷結果を推定したプレビュー画像を示す、合成画像を生成する（ＳＥＱ１３）。
【０１１２】
そして、合成画像生成部２００Ｈで生成された合成画像は、図１３では図示を省略する表示制御部２００Ｊによって、表示部９９Ｄに表示される（ＳＥＱ１６）。
【０１１３】
次に、以上のように構成された本実施形態の表示処理部１５で実行する画像表示処理について説明する。
【０１１４】
図１４は、本実施形態の画像表示処理の手順を示すフローチャートである。
【０１１５】
まず、原稿データ受付部２００Ａが、原稿データを受け付ける（ステップＳ４００）。原稿データ受付部２００Ａで受け付けられた原稿データは、一次メモリ２０１Ｂに展開される。
【０１１６】
次いで、構造解析部２００Ｂが、一次メモリ２０１Ｂに展開された原稿データのデータ構造を解析し、原稿データの各ページに含まれるオブジェクトを示すオブジェクト構造リストを作成する（ステップＳ４０２）。そして、構造解析部２００Ｂは、オブジェクト構造リストをオブジェクト構造リスト記憶部２００Ｃに格納する（ステップＳ４０４）。
【０１１７】
次いで、分類部２００Ｄが原稿データの分離処理を実行し、オブジェクト分類リストを生成する（ステップＳ４０６）（詳細後述）。
【０１１８】
そして、分類画像データ生成部２００Ｆが、表示用のイメージデータとして、第２有色版画像データ、第２光沢制御版画像データ、及び第２クリア版画像データを生成し、分類画像データ記憶部２００Ｇに格納する（ステップＳ４０８、ステップＳ４１０）。
【０１１９】
次に、表示画像生成部２００Ｍが、表示画像生成処理を行う（ステップＳ４１２）。
【０１２０】
次に、合成画像生成部２００Ｈが、原稿データの印刷結果を推定したプレビュー画像を示す合成画像を生成する、合成画像生成処理を行う（ステップＳ４１３）（詳細後述）。
【０１２１】
次に、表示制御部２００Ｊが、合画像生成部２００Ｈで生成された合成画像を、表示部９９Ｄに表示する（ステップＳ４１４）。
【０１２２】
そして、合成画像生成部２００Ｈは、管理テーブルに格納されている表示管理情報が変更されたか否かを判断する（ステップＳ４１６）。このステップＳ４１６の判断は、次のようにして行う。例えば、合成画像生成部２００Ｈは、表示管理情報記憶部２００Ｉに格納されている管理テーブルを読取る。そして、合成画像生成部２００Ｈでは、該管理テーブルに格納されている表示管理情報（表示情報、表示色情報、及び透明度情報）が、前回の表示画像生成時（ステップＳ４１２）及び合成画像生成時（ステップＳ４１３）の読み取り内容と異なるか否かを判別することによって、表示管理情報が変更されたか否かを判断する。
【０１２３】
そして、合成画像生成部２００Ｈは、表示管理情報が変更されたと判断すると（ステップＳ４１６：Ｙｅｓ）、上記ステップＳ４１２に戻り、変更された後の表示管理情報を用いて、上記ステップＳ４１２及び上記ステップＳ４１３の処理を行う。
【０１２４】
一方、表示管理情報が変更されていないと判断すると（ステップＳ４１６：Ｎｏ）、表示処理部１５は、操作部９９Ｂを介して表示終了指示を示す信号を受け付けたか否かを判断する（ステップＳ４１８）。そして、ステップＳ４１８で否定判断すると（ステップＳ４１８：Ｎｏ）、上記ステップＳ４１６へ戻る。一方、ステップＳ４１８で肯定判断すると（ステップＳ４１８：Ｙｅｓ）、本ルーチンを終了する。
【０１２５】
次に、ステップＳ４０６の分離処理について説明する。
【０１２６】
図１５は、分離処理の手順を示すフローチャートである。
【０１２７】
まず、分類部２００Ｄが、オブジェクト構造リスト記憶部２００Ｃからオブジェクト構造リストを読み出す（ステップＳ５００）。
【０１２８】
そして、分類部２００Ｄは、読み出したオブジェクト構造リストに含まれるオブジェクト数を取得し（ステップＳ５０２）、後述するステップＳ５０６〜ステップＳ５１２またはステップＳ５１４の処理をオブジェクトの数分繰り返し実行する。
【０１２９】
分類部２００Ｄは、まず、オブジェクト構造リスト記憶部２００Ｃに格納されている１のオブジェクトの色空間情報を取得する（ステップＳ５０４）。
【０１３０】
次に、分類部２００Ｄは、ステップＳ５０４で取得した色空間情報が、光沢領域を示す情報であるか否かを判断する（ステップＳ５０６）。そして、ステップＳ５０４で取得した色空間情報が光沢領域を示す情報である場合には（ステップＳ５０６：Ｙｅｓ）、光沢領域のオブジェクト群として分類リスト記憶部２００Ｅに格納する（ステップＳ５０８）。
【０１３１】
そして、ステップＳ５０８の処理が終了、または上記ステップＳ５０６で否定判断した場合（ステップＳ５０６：Ｎｏ）、ステップＳ５１０へ進む。
【０１３２】
次に、分類部２００Ｄは、ステップＳ５０４で取得した色空間情報が、透明画像を示す情報であるか否かを判断する（ステップＳ５１０）。そして、ステップＳ５０４で取得した色空間情報が透明画像を示す情報である場合には（ステップＳ５１０：Ｙｅｓ）、透明画像のオブジェクト群として分類リスト記憶部２００Ｅに格納する（ステップＳ５１２）。
【０１３３】
一方、分類部２００Ｄは、ステップＳ５０４で取得した色空間情報が、透明画像を示す情報ではない場合、すなわち、該色空間情報が有色画像を示す情報である場合（ステップＳ５１０：Ｎｏ）、有色画像のオブジェクト群として分類リスト記憶部２００Ｅに格納する（ステップＳ５１４）。
【０１３４】
次に、ステップＳ４１２（図１４参照）の表示画像生成処理について説明する。
【０１３５】
図１６は、表示画像生成処理の手順を示すフローチャートである。
【０１３６】
表示画像生成部２００Ｍは、まず、第２光沢制御版画像データを分類画像データ記憶部２００Ｇから読み取る（ステップＳ５２０）。そして、表示画像生成部２００Ｍは、該第２光沢制御版画像データの画素数分、ステップＳ５２２の処理を繰り返す。
【０１３７】
表示画像生成部２００Ｍでは、表示管理情報記憶部２００Ｉに格納されている、光沢領域に対応する表示管理情報に含まれる、色情報及び透明度情報等の表示色設定に従い、第３光沢制御版画像データの画素データを生成する（ステップＳ５２２）。詳細には、表示画像生成部２００Ｍでは、第２光沢制御版画像データの画素データに含まれる色及び濃度を示す情報を、光沢領域に対応する表示管理情報に含まれる色情報及び透明度情報に応じた色及び濃度に変換する。
【０１３８】
このステップＳ５２２の処理を、第２光沢制御版画像データの画素数分繰り返すことによって、第３光沢制御版画像データが生成される。
【０１３９】
次に、表示画像生成部２００Ｍは、第２クリア版画像データを分類画像データ記憶部２００Ｇから読み取る（ステップＳ５２４）。そして、表示画像生成部２００Ｍは、該第２クリア版画像データの画素数分、ステップＳ５２６の処理を繰り返す。
【０１４０】
表示画像生成部２００Ｍでは、表示管理情報記憶部２００Ｉに格納されている、透明画像に対応する表示管理情報に含まれる、色情報及び透明度情報等の表示色設定に従い、第３クリア版画像データの画素データを生成する（ステップＳ５２６）。詳細には、表示画像生成部２００Ｍでは、第２クリア版画像データの画素データに含まれる色及び濃度を示す情報を、透明画像に対応する表示管理情報に含まれる色情報及び透明度情報に応じた色及び濃度に変換する。
【０１４１】
このステップＳ５２６の処理を、第２クリア版画像データの画素数分繰り返すことによって、第３クリア版画像データが生成される。
【０１４２】
次に、ステップＳ４１３（図１４参照）の合成画像生成処理について説明する。
【０１４３】
図１７は、合成画像生成処理の手順を示すフローチャートである。
【０１４４】
まず、合成画像生成部２００Ｈが、光沢領域の表示オンであるか否かを判断する（ステップＳ６００）。合成画像生成部２００Ｈは、管理テーブルに格納されている光沢領域に対応する表示管理情報を読み取り、表示情報として、表示オンが設定されているか否かを判別することによって、ステップＳ６００の判断を行う。
【０１４５】
そして、光沢領域に対応する表示管理情報に含まれる表示情報が、表示オンを示す場合には、合成画像生成部２００Ｈは、肯定判断し（ステップＳ６００：Ｙｅｓ）、ステップＳ６０２へ進む。一方、光沢領域に対応する表示管理情報に含まれる表示情報が、表示オフを示す場合には、合成画像生成部２００Ｈは、否定判断し（ステップＳ６００：Ｎｏ）、後述するステップＳ６０８へ進む。
【０１４６】
次に、合成画像生成部２００Ｈは、第３光沢制御版画像データを表示画像生成部２００Ｍから読み取る（ステップＳ６０２）。そして、合成画像生成部２００Ｈは、読み取った第３光沢制御版画像データを合成対象として設定する（ステップＳ６０６）。
【０１４７】
次に、合成画像生成部２００Ｈが、透明画像の表示オンであるか否かを判断する（ステップＳ６０８）。合成画像生成部２００Ｈは、管理テーブルに格納されている透明画像に対応する表示管理情報を読み取り、表示情報として、表示オンが設定されているか否かを判別することによって、ステップＳ６０８の判断を行う。
【０１４８】
そして、透明画像に対応する表示管理情報に含まれる表示情報が、表示オンを示す場合には、合成画像生成部２００Ｈは、肯定判断し（ステップＳ６０８：Ｙｅｓ）、ステップＳ６１０へ進む。一方、透明画像に対応する表示管理情報に含まれる表示情報が、表示オフを示す場合には、合成画像生成部２００Ｈは、否定判断し（ステップＳ６０８：Ｎｏ）、後述するステップＳ６１８へ進む。
【０１４９】
次に、合成画像生成部２００Ｈは、第３クリア版画像データを、表示画像生成部２００Ｍから読み取る（ステップＳ６１０）。次に、合成画像生成部２００Ｈは、読み取った該第３クリア版画像データを、合成対象として設定する（ステップＳ６１４）。
【０１５０】
次に、合成画像生成部２００Ｈは、分類画像データ記憶部２００Ｇに格納されている第２有色版画像データと、第３クリア版画像データ及び第３光沢制御版画像データの内の合成対象として設定された画像データを合成し、合成画像の合成画像データを生成する（ステップＳ６１８）。
【０１５１】
上述した画像表示処理を実行することによって、例えば、下記の表示画像が表示される。
【０１５２】
たとえば、図１８に示すように、第２有色版画像データ７００と、第２光沢制御版画像データ７０２と、第２クリア版画像データ７０４と、が分類画像データ記憶部２００Ｇに記憶されていたとする。
【０１５３】
また、光沢領域の表示色として水色７０６が設定され、透明画像の表示色として赤色７０８が設定されていたとする。
【０１５４】
そして、表示管理情報記憶部２００Ｉに格納されている表示情報が光沢領域については表示有り（表示オン）を示し、透明画像については表示無し（表示オフ）を示すとする。この場合には、表示画像生成部２００Ｍは、第２光沢制御版画像データ７０２の光沢領域の色を水色７０６に変更した第３光沢制御版画像データ７０２Ａと、第２クリア版画像データ７０４の透明画像の色を赤色７０８に変更した第３クリア版画像データ７０４Ａを生成する。
【０１５５】
そして、合成画像生成部２００Ｈは、第３光沢制御版画像データ７０２Ａと、第２有色版画像データ７００と、を合成し、合成画像の合成画像データ７１２を生成する。このため、この場合、表示部９９Ｄには、合成画像データ７１２の合成画像が表示される。
【０１５６】
また、表示管理情報記憶部２００Ｉに格納されている表示情報が光沢領域については表示無し（表示オフ）を示し、透明画像については表示有り（表示オン）を示すとする。この場合には、合成画像生成部２００Ｈは、第３クリア版画像データ７０４Ａと、第２有色版画像データ７００と、を合成し、合成画像の合成画像データ７２０を生成する。このため、この場合、表示部９９Ｄには、合成画像データ７２０の合成画像が表示される。
【０１５７】
このため、本実施形態の表示処理部１５によれば、原稿データに基づいて、第２有色版画像データ、第２クリア版画像データ、及び第２光沢制御版画像データを生成する。そして、表示処理部１５では、第２クリア版画像データの透明画像の色、及び第２光沢制御版画像データの光沢領域の色を、設定された表示色に変換した第３クリア版画像データ、及び第３光沢制御版画像データを生成する。そして、表示処理部１５では、第３クリア版画像データ、及び第３光沢制御版画像データの内、表示情報によって表示有り（表示オン）を指定された画像データと、第２有色版画像データと、を合成して合成画像を生成する。そして、この合成画像を表示部９９Ｄに表示する。
【０１５８】
このため、ユーザによって設定された、光沢領域の表示の有無や、透明画像の表示の有無の設定に応じて、プレビュー表示を切り替えることができる。
【０１５９】
従って、本実施形態の表示処理部１５によれば、表面効果の与えられる光沢領域と、透明画像と、を切り替えてプレビュー表示することができる。
【０１６０】
また、表示処理部１５によれば、表示時の表示色や透明度を指定することができる。このため、表示処理部１５によれば、有色画像の描画領域と、透明画像の描画領域とが重なる場合であっても、これらの描画領域の双方を表示することができる。
【０１６１】
＜ＤＥＦ３０、ＭＩＣ４０、印刷装置６０について＞
図１に戻り、次に、ＤＥＦ３０、ＭＩＣ４０、印刷装置６０について説明する。
【０１６２】
ＤＦＥ３０は、ホスト装置１１から印刷データを受信し、当該印刷データに基づいて、ＣＭＹＫの各トナーおよび無色（透明色）のクリアトナーに応じたトナー像を形成するための画像データを生成する。そして、その生成した画像データを、ＭＩＣ４０を介してプリンタ機５０および後処理機７５の各々へ送信する。
【０１６３】
プリンタ機５０には、ＣＭＹＫの各トナーとクリアトナーとが少なくとも搭載されており、各トナーに対して感光体、帯電器、現像器及び感光体クリーナーを含む作像ユニット、及び露光器等が搭載されている。プリンタ機５０は、ＭＩＣ４０を介してＤＦＥ３０から送信された画像データに応じて、露光器から光ビームを照射して各トナーに応じたトナー像を感光体上に形成してこれを記録紙などの記録媒体に転写する。転写されたトナー像は、不図示の定着機において、所定の範囲内の温度（通常温度）での加熱および加圧が加えられて記録媒体上に定着する。これにより、記録媒体上に画像が形成される（詳細後述）。
【０１６４】
図１の例では、後処理機７５は、プリンタ機５０に接続されるグロッサ７０と、グロッサ７０に接続される通常定着後処理装置８０と、通常定着後処理装置８０に接続される低温定着後処理装置９０とを含んで構成される。グロッサ７０は、ＤＦＥ３０によりオン又はオフが制御され、オンにされた場合に、プリンタ機５０により記録媒体に形成された画像を再定着する。これにより、記録媒体に形成された画像全体において所定量以上のトナーが付着した各画素のトナーの総付着量は均一に圧縮される。
【０１６５】
通常定着後処理装置８０には、クリアトナー及び当該クリアトナーを定着させるための定着機が搭載されており、ＤＦＥ３０が生成した後述のクリアトナー版の画像データが入力される。通常定着後処理装置８０は、入力されたクリアトナー版の画像データを用いて、クリアトナーによるトナー像を、グロッサ７０により加圧された記録媒体上に形成された画像に重ねて形成する。そして、記録媒体上に形成されたトナー像は、定着機において通常温度での加熱および加圧が加えられて記録媒体上に定着する。
【０１６６】
低温定着後処理装置９０には、クリアトナー及び当該クリアトナーを定着させるための定着機が搭載されており、ＤＦＥ３０が生成した後述のクリアトナー版の画像データが入力される。低温定着後処理装置９０は、入力されたクリアトナー版の画像データを用いてクリアトナーによるトナー像を、グロッサ７０および通常定着後処理装置８０により加圧された記録媒体上に形成された画像に重ねて形成する。そして、記録媒体上に形成されたトナー像は、定着機において通常温度よりも低い温度（低温）での加熱および加圧が加えられて記録媒体上に定着する。
【０１６７】
次に、ＤＦＥ３０の機能的構成について説明する。図１９は、ＤＦＥ３０の概略構成例を示すブロック図である。図１９に示すように、ＤＦＥ３０は、Ｉ／Ｆ部３１と、Ｉ／Ｆ部３２と、制御部３５とを含んで構成される。Ｉ／Ｆ部３１はホスト装置１１との間で通信を行うためのインタフェース装置である。Ｉ／Ｆ部３２は、ＭＩＣ４０との間で通信を行うためのインタフェース装置である。
【０１６８】
制御部３５は、ＤＦＥ３０全体を制御する手段であり、ＣＰＵ、ＲＯＭおよびＲＡＭなどを含んで構成されるコンピュータである。図１９に示すように、制御部３５が有する機能には、レンダリングエンジン１０１、ｓｉ１部１０２、ＴＲＣ（Ｔｏｎｅ  Ｒｅｐｒｏｄｕｃｔｉｏｎ  Ｃｕｒｖｅ）１０３、ｓｉ２部１０４、ハーフトーンエンジン１０５、クリアプロセッシング１０８、ｓｉ３部１０９、表面効果選択テーブル（不図示）、などが含まれる。レンダリングエンジン１０１と、ｓｉ１部１０２と、ＴＲＣ（Ｔｏｎｅ  Ｒｅｐｒｏｄｕｃｔｉｏｎ  Ｃｕｒｖｅ）１０３と、ｓｉ２部１０４と、ハーフトーンエンジン１０５と、クリアプロセッシング１０８と、ｓｉ３部１０９とは、ＤＦＥ３０の制御部３５が主記憶部や補助記憶部に記憶されている各種プログラムを実行することにより実現されるものである。ｓｉ１部１０２、ｓｉ２部１０４及びｓｉ３部１０９はいずれも、画像データを分離する（ｓｅｐａｒａｔｅ）機能と、画像データを統合する（ｉｎｔｅｇｒａｔｅ）機能とを有するものである。表面効果選択テーブルは例えば補助記憶部に記憶されるものである。
【０１６９】
レンダリングエンジン１０１には、ホスト装置１１から印刷データが入力される。レンダリングエンジン１０１は、入力された印刷データを言語解釈して、ベクター形式で表現される第１有色版画像データ、第１クリア版画像データ、及び第１光沢制御版画像データの各々を、ラスタ形式で表現される画像データに変換すると共に、ＲＧＢ形式等で表現された色空間をＣＭＹＫ等の色空間に変換して、ＣＭＹＫの第４有色版画像データ、第４光沢制御版画像データ、及び第４クリア版画像データを出力する。なお、これらの第４有色版画像データ、第４光沢制御版画像データ、及び第４クリア版画像データは、１画素を例えば８ビット等で表現した画像データである。また、第４クリア版画像データ及び第４光沢制御版画像データは、画素毎に例えば８ビットで「０」〜「２５５」（０％〜９８％）の範囲の濃度値で表される。すなわち、レンダリングエンジン１０１は、ホスト装置１１から出力された印刷データに含まれる、ベクター形式で表現される第１有色版画像データ、第１クリア版画像データ、及び第１光沢制御版画像データの各々をラスタ形式に変換し、この結果、ＤＦＥ３０は、ユーザが指定した描画領域に対する表面効果の種類を、画素を単位として濃度値として設定する。
【０１７０】
ｓｉ１部１０２は、第４有色版画像データをＴＲＣ１０３に出力する。また、ｓｉ１部１０２は、第４光沢制御版画像データ、及び第４クリア版画像データを、クリアプロセッシング１０８へ出力する。
【０１７１】
ＴＲＣ１０３には、ｓｉ１部１０２を介して第４有色版画像データが入力される。ＴＲＣ１０３は、入力された第４有色版画像データに対してキャリブレーションにより生成された１Ｄ＿ＬＵＴのガンマカーブでガンマ補正を行う。画像処理としては、ガンマ補正の他にトナーの総量規制等があるが、この実施形態の例では省略している。ｓｉ２部１０４は、ＴＲＣ１０３でガンマ補正された第４有色版画像データを、インバースマスクを生成するためのデータとしてクリアプロセッシング１０８へ出力する。ハーフトーンエンジン１０５には、ｓｉ２部１０４を介してガンマ補正後の第４有色版画像データが入力される。ハーフトーンエンジン１０５は、入力された第４有色版画像データを印刷装置６０に出力するための、例えばＣＭＹＫの各２ビット等の画像データのデータ形式に変換するハーフトーン処理を行い、ハーフトーン処理後のＣＭＹＫ各２ビット等の画像データとしての、第５有色版画像データをｓｉ３部１０９へ出力する。なお、２ビットは一例であり、これに限定されるものではない。
【０１７２】
クリアプロセッシング１０８は表面情報及び装置構成に対応する、表面効果選択テーブルを参照し、グロッサ７０のオン又はオフを決定すると共に、第４光沢制御版画像データ及び第４クリア版画像データを用いて、クリアトナーを付着させるための例えば、２ビット等の、後述するクリアトナー版の画像データを生成する。なお、２ビットは一例であり、これに限定されるものではない。
【０１７３】
詳細には、表面効果選択テーブルは、「０％」〜「９８％」の範囲で表現される光沢制御版の画像データの濃度値と、「０」〜「２５５」の２５６段階で表現される光沢制御版の画像データの濃度値と、表面効果の種類と、グロッサ７０のオンおよびオフの何れかを指定するオンオフ情報と、クリアトナー版の画像データの濃度値の決定方法と、実現可能な表面効果の種類とを対応付けて記憶する。この表面効果選択テーブルは、装置構成情報及びグロッサ７０のオンまたはオフを示す情報に対応づけて定められている。
【０１７４】
図２０は、表面効果選択テーブルの例を示す図である。表面効果選択テーブルの内容は、装置構成情報および優先情報に応じて決定される。装置構成情報は、印刷装置６０に搭載されている後処理機７５の構成を示す情報である。優先情報は「光沢優先」および「種類優先」の何れかを示す情報である。「光沢優先」とは、ユーザ指定の表面効果を、より光沢度の高い表面効果に置き換えることを示す。また、「種類優先」とは、ユーザ指定の表面効果を、最も光沢度の高い鏡面光沢（ＰＧ）を含まない表面効果に置き換えることを示す。なお、表面効果選択テーブルにおける濃度値は、図２０では、範囲を持った値として示したが、この各表面効果の種類に対応する濃度値は、上記図１０で説明した濃度値選択テーブルで規定された濃度値と表面効果の種類との対応関係と同じ値が設定される。
【０１７５】
クリアプロセッシング１０８は、装置構成情報および優先情報に対応する表面効果選択テーブルを、図示を省略する記憶部から読み出す。例えば、クリアプロセッシング１０８は、図２０に示す表面効果選択テーブルを読み取る。この優先情報とは、光沢優先または種類優先を示す情報であり、ユーザの操作指示等によって指定される。装置構成情報は、印刷装置６０に設けられた後処理機７５の種類を示す情報である。
【０１７６】
そして、クリアプロセッシング１０８は、優先情報が光沢優先を示す場合には、グロッサ７０のオンを決定する。また、クリアプロセッシング１０８は、優先情報が種類優先を示す場合には、グロッサ７０のオフを決定する。
【０１７７】
そして、クリアプロセッシング１０８は、各画素位置の画素について、８ビットの画素データを例えば２ビットの画素データに変換する。詳細には、クリアプロセッシング１０８は、変換処理対象の画素について透明画像と、表面効果の与えられる光沢領域と、の双方が重なる場合には、予め別途設定された優先設定に応じていずれか一方を画素単位で排他する。
【０１７８】
具体的には、透明画像と光沢領域との双方の重なる画素位置については、優先設定が光沢優先を示す場合には、第４クリア版画像データの対応する画素位置の８ビットの画素データを、２ビットの画素データに変換する。また、透明画像と光沢領域との双方の重なる画素位置については、優先設定が種類優先を示す場合には、第４光沢制御版画像データの対応する画素位置の８ビットの画素データを２ビットの画素データに変換する。
【０１７９】
そして、クリアプロセッシング１０８は、優先情報に応じて決定された、グロッサ７０のオンまたはオフと装置構成情報に対応する表面効果選択テーブルを用いて、第４光沢制御版画像データ及び第４クリア版画像データから、２ビットの第１のクリアトナー版の画像データＣｌｒ−１、２ビットの第２のクリアトナー版の画像データＣｌｒ−２、および、２ビットの第３のクリアトナー版の画像データＣｌｒ−３の各々を生成する。
【０１８０】
第１のクリアトナー版の画像データであるＣｌｒ−１は、プリンタ機５０がクリアトナーを用いた印刷時に用いる画像データである。また、第２のクリアトナー版の画像データであるＣｌｒ−２は、通常定着後処理装置８０がクリアトナーを用いた印刷時に用いる画像データである。また、第３のクリアトナー版の画像データであるＣｌｒ−３は、低温定着後処理装置９０がクリアトナーを用いた印刷時に用いる画像データである。
【０１８１】
そして、クリアプロセッシング１０８は、グロッサ７０のオンおよびオフの何れかを指示するオンオフ指示情報と、各２ビットのクリアトナー版の画像データ（Ｃｌｒ−１〜Ｃｌｒ−３）とをｓｉ３部１０９へ出力する。
【０１８２】
図２０の例では、第４光沢制御版画像データに含まれる画素の濃度値が「２３８」〜「２５５」（９４％〜９８％）の場合、当該画素の濃度値に対応する表面効果の種類はＰＧ（鏡面光沢）である。また、オンオフ情報は「オン」である。そして、ＰＧのときに、第１のクリアトナー版の画像データＣｌｒ−１に入力する画像データは、インバースマスク１である。また、表面効果がＰＧのときに、第２のクリアトナー版の画像データＣｌｒ−２及びＣｌｒ−３に入力する画像データは、ｎｏ  ｄａｔａ（データ無し）である。
【０１８３】
同様に、第４光沢制御版画像データに含まれる画素の濃度値が「２１２」〜「２３２」（８４％〜９０％）の場合、当該画素の濃度値に対応する表面効果の種類はＧである。また、オンオフ情報は「オン」である。そして、Ｇのときに、第１のクリアトナー版の画像データＣｌｒ−１に入力する画像データは、インバースマスクｍである。また、表面効果がＧのときに、第２のクリアトナー版の画像データＣｌｒ−２に入力する画像データはベタであり、Ｃｌｒ−３に入力する画像データは、ｎｏ  ｄａｔａ（画像データ無し）である。
【０１８４】
同様に、第４光沢制御版画像データに含まれる画素の濃度値が「２３」〜「４３」（１０％〜１６％）の場合、当該画素の濃度値に対応する表面効果の種類はＭである。また、オンオフ情報は「オン」である。そしてＭのときに、第１のクリアトナー版の画像データＣｌｒ−１及び、Ｃｌｒ−３に入力する画像データは、ｎｏ  ｄａｔａ（画像データ無し）である。
【０１８５】
また、表面効果がＭのときに、第２のクリアトナー版の画像データＣｌｒ−２に入力する画像データはｈａｌｆｔｏｎｅ−ｎである。
【０１８６】
同様に、第４光沢制御版画像データに含まれる画素の濃度値が「１」〜「１７」（０％〜６％）の場合、当該画素の濃度値に対応する表面効果の種類はＰＭである。また、オンオフ情報は「オン」である。そして、ＰＭのときに、第１のクリアトナー版の画像データＣｌｒ−１及びＣｌｒ−２に入力する画像データは、ｎｏ  ｄａｔａ（画像データ無し）である。
【０１８７】
また、表面効果ＰＭのときに、第３のクリアトナー版の画像データＣｌｒ−３に入力する画像データはベタである。
【０１８８】
ここで、上記インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。具体的には、例えば、以下の式１で表される。
【０１８９】
Ｃｌｒ＝１００−（Ｃ＋Ｍ＋Ｙ＋Ｋ）・・・(式１)
但し、Ｃｌｒ＜０となる場合、Ｃｌｒ＝０
【０１９０】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【０１９１】
ベタマスクとは、表面効果を与える対象の領域を構成する各画素上にクリアトナーを均一に付着させるためのものである。具体的には、例えば以下の式２で表される。
【０１９２】
Ｃｌｒ＝１００・・・(式２)
【０１９３】
なお、表面効果を与える対象の画素の中でも、１００％以外の濃度率が対応付けられるものがあるようにしても良く、ベタマスクのパターンは複数有り得る。
【０１９４】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【０１９５】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【０１９６】
要するに、インバースマスクは、上記式１〜式４の何れかの式により表されるものであればよい。
【０１９７】
図２０の例では、第４光沢制御版画像データに含まれる画素の濃度値が「２１２」〜「２３２」（８４％〜９０％）の場合、当該画素の濃度値に対応する表面効果の種類はＧ（ベタ光沢）、オンオフ情報は「オン」、第１のクリアトナー版の画像データＣｌｒ−１における当該画素の濃度値は「インバースマスクｍ」により求められて８ビットで表現され、第２のクリアトナー版の画像データＣｌｒ−２における当該画素の濃度値は「ベタ」により求められて２ビットで表現され、第３のクリアトナー版の画像データＣｌｒ−３における当該画素の濃度値は無く（「ｎｏ  ｄａｔａ」）、実現可能な表面効果の種類は「Ｇ」であることが示されている。なお、当該インバースマスクｍは、上述の式１とは異なる式で表される（式２〜式４のうちの何れかの式で表される）。これは、ＰＧ（鏡面光沢）の場合とは、平滑化されるトナーの総付着量が異なるからである。また、ベタとは、表面効果を与える対象の領域を構成する各画素上にクリアトナーを均一に付着させるためのものである。具体的には、例えば上記式２で表される。なお、表面効果を与える対象の画素の中でも、１００％以外の濃度率が対応付けられるものがあるようにしてもよく、ベタのパターンは複数有り得る。
【０１９８】
また、図２０の例では、第４光沢制御版画像データに含まれる画素の濃度値が「２３」〜「４３」（１０％〜１６％）の場合、当該画素の濃度値に対応する表面効果の種類はＭ（網点マット）、オンオフ情報は「オン」、第１のクリアトナー版の画像データＣｌｒ−１における当該画素の濃度値は「ｎｏ  ｄａｔａ」、第２のクリアトナー版の画像データＣｌｒ−２における当該画素の濃度値は「ｈａｌｆｔｏｎｅ−ｎ」により求められて２ビットで表現され、第３のクリアトナー版の画像データＣｌｒ−３における当該画素の濃度値は「ｎｏ  ｄａｔａ」、実現可能な表面効果の種類は「Ｍ」であることが示されている。なお、ハーフトーンとは、クリアトナーに中間調処理を施し、表面に凹凸を付与し乱反射させることで光沢度を低くするためのものである。中間調処理には複数あり、その中の一つを示す表現としてｈａｌｆｔｏｎｅ−ｎと記載している。なお、本実施形態では、表面効果の種類としてＭ（網点マット）が指定された場合、光沢制御版の画像データにおいてＭが指定された領域内の各画素の濃度値は、「２３」〜「４３」の範囲内の何れかの値に共通に設定される。
【０１９９】
また、図２０の例では、第４光沢制御版画像データに含まれる画素の濃度値が「１」〜「１７」（０％〜６％）の場合、当該画素の濃度値に対応する表面効果の種類はＰＭ（つや消し）、オンオフ情報は「オン」、第１のクリアトナー版の画像データＣｌｒ−１および第２のクリアトナー版の画像データＣｌｒ−２の各々における当該画素の濃度値は「ｎｏ  ｄａｔａ」、第３のクリアトナー版の画像データＣｌｒ−３における当該画素の濃度値は「ベタ」により求められて２ビットで表現され、実現可能な表面効果の種類は「ＰＭ」であることが示されている。
【０２００】
本実施形態では、クリアプロセッシング１０８は、光沢優先か種類優先かに応じて、図２０の表面効果選択テーブルを参照して、グロッサ７０のオン又はオフを決定する。また、クリアプロセッシング１０８は、決定されたグロッサ７０のオンまたはオフと、グロッサのオンオフ及び装置構成に対応する、表面効果選択テーブルを用いて、入力された第４光沢制御版画像データを用いて、８ビットの第１のクリアトナー版の画像データＣｌｒ−１、２ビットの第２のクリアトナー版の画像データＣｌｒ−２、および、２ビットの第３のクリアトナー版の画像データＣｌｒ−３の各々を生成する。そして、クリアプロセッシング１０８は、８ビットの第１のクリアトナー版の画像データＣｌｒ−１に対してハーフトーン処理を行い、２ビットの第１のクリアトナー版の画像データＣｌｒ−１に変換する。そして、クリアプロセッシング１０８は、グロッサ７０のオンおよびオフの何れかを指示するオンオフ指示情報と、各２ビットのクリアトナー版の画像データ（Ｃｌｒ−１〜Ｃｌｒ−３）とをｓｉ３部１０９へ出力する。
【０２０１】
ｓｉ３部１０９は、ハーフトーン処理後のＣＭＹＫの各２ビットの画像データである第５有色版画像データ（２ｂｉｔ×４ｐｌａｎｅ）と、クリアプロセッシング１０８が生成した各２ビットのクリアトナー版の画像データ（Ｃｌｒ−１〜Ｃｌｒ−３）（２ｂｉｔ×３ｐｌａｎｅ）とを統合し、統合した画像データをＭＩＣ４０に出力するとともに、クリアプロセッシング１０８から供給されたオンオフ指示情報をＭＩＣ４０に出力する。本実施形態において、例えば１ページ内においてＰＧ、Ｇ、ＭおよびＰＭの各々が指定されていた場合、ＤＦＥ３０からは各々２ビットの７つの画像データ（ＣＭＹＫ＋Ｃｌｒ−１＋Ｃｌｒ−２＋Ｃｌｒ−３）と、グロッサ７０の「オン」を指示するオンオフ指示情報とがＭＩＣ４０へ出力される。
【０２０２】
ＭＩＣ４０は、ＤＦＥ３０とプリンタ機５０とに接続され、ＣＭＹＫの第５有色版画像データ（２ｂｉｔ×４ｐｌａｎｅ）および第１〜第３のクリアトナー版の画像データをＤＦＥ３０から受信して各画像データを対応する装置に振り分けるとともに、後処理機７５の制御を行う。
【０２０３】
この場合、図２１に例示されるように、ＤＦＥ３０は、ＭＩＣ４０を介して、ＣＭＹＫの第５有色版画像データ（２ｂｉｔ×４ｐｌａｎｅ）および第１のクリアトナー版の画像データＣｌｒ−１をプリンタ機５０に出力する。また、ＤＦＥ３０は、ＭＩＣ４０を介して、「オン」を指示するオンオフ指示情報をグロッサ７０へ出力する。これを受けて、グロッサ７０はオン状態に遷移する。さらに、ＤＦＥ３０は、ＭＩＣ４０を介して、第２のクリアトナー版の画像データＣｌｒ−２を通常定着後処理装置８０へ出力し、第３のクリアトナー版の画像データＣｌｒ−３を低温定着後処理装置９０へ出力する。
【０２０４】
図２１の例では、プリンタ機５０は、ＭＩＣ４０から出力されたＣＭＹＫの第５有色版画像データ（２ｂｉｔ×４ｐｌａｎｅ）及び第１のクリアトナー版の画像データＣｌｒ−１を用いて、露光器から光ビームを照射して各トナーに応じたトナー像を感光体上に形成してこれを記録媒体に転写した後に定着させる。
【０２０５】
詳細には、プリンタ機５０は、電子写真方式の複数の感光体５０Ａ、感光体５０Ａ上に形成されたトナー像を転写される転写ベルト５０Ｂ、転写ベルト５０Ｂ上のトナー像を記録媒体に転写する転写装置５０Ｃ、及び記録媒体上のトナー像を該記録媒体に定着させる定着機５０Ｄを備える。
【０２０６】
これによって記録媒体に、ＣＭＹＫのトナーの他クリアトナーが付着されて、画像が形成される。その後、搬送路に沿って記録媒体が搬送されて、オン状態になっているグロッサ７０の位置に到ると、当該グロッサ７０は、当該記録媒体（のプリンタ機５０による画像形成領域を含む領域）を高温及び高圧で加圧する。
【０２０７】
通常定着後処理装置８０は、ＭＩＣ４０から出力された第２のクリアトナー版の画像データＣｌｒ−２を用いてクリアトナーによるトナー像を形成し、グロッサ７０を通過した記録媒体上に当該トナー像を重ねて、通常温度での加熱および加圧を与えて記録媒体に定着させる。そして、低温定着後処理装置９０は、ＭＩＣ４０から出力された第３のクリアトナー版の画像データＣｌｒ−３を用いてクリアトナーによるトナー像を形成し、通常定着後処理装置８０を通過した記録媒体上に当該トナー像を重ねて、低温での加熱および加圧を与えて記録媒体に定着させる。
【０２０８】
通常定着後処理装置８０及び低温定着後処理装置９０は、詳細には、電子写真方式の感光体８０Ａ及び感光体９０Ａから転写されたトナー像を記録媒体に定着させる定着機８０Ｂ及び定着機９０Ｂの各々を備える。記録媒体は、図示を省略する搬送部材によって搬送されることで、プリンタ機５０、グロッサ７０、通常定着後処理装置８０、及び低温定着後処理装置９０の設けられている位置を、この順に搬送される。そして、これらの機器によって順次処理が行われて画像形成及び表面効果が付与された後に、図示を省略する搬送機構によって搬送されて、印刷装置６０の外部へと排出される。
【０２０９】
以上により、クリアトナーを用いた透明画像が記録媒体に形成される。また、ユーザによってＰＧ（鏡面光沢）が指定された領域においては、ＰＧとしての効果が実現され、ユーザによってＧ（ベタ光沢）が指定された領域においては、Ｇとしての効果が実現される。また、ユーザによってＭ（網点マット）が指定された領域においては、Ｍとしての効果が実現され、ユーザによってＰＭ（つや消し）が指定された領域においては、ＰＭとしての効果が実現される。すなわち、後処理機７５として、グロッサ７０と通常定着後処理装置８０と低温定着後処理装置９０とが搭載されている装置構成では、ＰＧ（鏡面光沢）、Ｇ（ベタ光沢）、Ｍ（網点マット）、ＰＭ（つや消し）の４種類全ての表面効果を実現することができる。なお、表面効果を与える領域として指定されていない領域には、いずれの表面効果も与えられない。
【０２１０】
以上説明したように、本実施形態の表示処理部１５によれば、原稿データに基づいて、第２有色版画像データ、第２クリア版画像データ、及び第２光沢制御版画像データを生成する。そして、表示処理部１５では、第２クリア版画像データの透明画像の色、及び第２光沢制御版画像データの光沢領域の色を、設定された表示色に変換した第３クリア版画像データ、及び第３光沢制御版画像データを生成する。そして、表示処理部１５では、第３クリア版画像データ、及び第３光沢制御版画像データの内、表示情報によって表示有り（表示オン）を指定された画像データと、第２有色版画像データと、を合成して合成画像を生成する。そして、この合成画像を表示部９９Ｄに表示する。
【０２１１】
このため、ユーザによって設定された、光沢領域の表示の有無や、透明画像の表示の有無の設定に応じて、プレビュー表示を切り替えることができる。
【０２１２】
従って、本実施形態の表示処理部１５によれば、表面効果の与えられる光沢領域と、透明画像と、を切り替えてプレビュー表示することができる。
【０２１３】
また、表示処理部１５によれば、表示時の表示色や透明度を指定することができる。このため、表示処理部１５によれば、光沢領域と透明画像とが重なる場合であっても、透明画像及び光沢領域の双方を表示することができる。
【０２１４】
（実施形態２）
実施形態２の表示処理部では、実施形態１の表示処理部による処理に加えて、表面効果の種類毎に、更に表示を切り替えるものである。
【０２１５】
なお、実施形態２では、実施形態１と同じ機能や構成を示す部分には同じ符号を付与して詳細な説明を省略する。
【０２１６】
図２は、本実施形態のホスト装置１１Ａの機能ブロック図である。本実施形態のホスト装置１１Ａは、実施形態１で説明したホスト装置１１における、分類部２００Ｄ、分類リスト記憶部２００Ｅ、分類画像データ生成部２００Ｆ、分類画像データ記憶部２００Ｇ、表示画像生成部２００Ｍ、合成画像生成部２００Ｈ、表示制御部２００Ｊ、受付部２００Ｋ、及び表示管理情報記憶部２００Ｉ、の各々に代えて、分類部２０１Ｄ、分類リスト記憶部２０１Ｅ、分類画像データ生成部２０１Ｆ、分類画像データ記憶部２０１Ｇ、表示画像生成部２０１Ｍ、合成画像生成部２０１Ｈ、表示制御部２０１Ｊ、受付部２０１Ｋ、及び表示管理情報記憶部２０１Ｉを備えた点がホスト装置１１とは異なる。
【０２１７】
以下、実施形態１と異なる部分について詳細を説明する。
【０２１８】
分類部２０１Ｄは、分類部２００Ｄと同様に、オブジェクト構造リストに示される各オブジェクト（描画領域）を、第１有色版画像データによって特定される有色画像の描画領域群、第１クリア版画像データによって特定される透明画像の描画領域群、及び第１光沢制御版画像データによって特定される描画領域群に分類する。
【０２１９】
本実施形態では、分類部２０１Ｄは、第１光沢制御版画像データによって特定される描画領域群を、更に、表面効果の種類毎に分類する。そして、分類部２０１Ｄは、表面効果の種類毎の描画領域群と、第１有色版画像データによって特定される有色画像の描画領域群と、第１クリア版画像データによって特定される透明画像の描画領域群と、を示すオブジェクト分類リストを生成する。
【０２２０】
分類リスト記憶部２０１Ｅは、このオブジェクト分類リストを記憶する（図２２の分類リスト記憶部２０１Ｅも参照）。
【０２２１】
分類画像データ生成部２０１Ｆは、分類画像データ生成部２００Ｆと同様に、原稿データ、詳細には、上記オブジェクト構造リスト及びオブジェクト分類リストに基づいて、表示用のイメージデータとして、第２有色版画像データ、及び第２クリア版画像データを生成する。そして、分類画像データ生成部２０１Ｆでは、上記オブジェクト構造リスト及びオブジェクト分類リストに基づいて、表面効果の種類毎に、第２光沢制御版画像データを生成する。
【０２２２】
すなわち、分類画像データ生成部２０１Ｆは、オブジェクト分類リストに示される、第１光沢制御版画像データによって特定される光沢領域の表面効果の種類毎に、各描画領域群に対応する描画領域の描画情報を、オブジェクト構造リスト記憶部２００Ｃから読み取る。そして、読みとった描画領域群の描画情報をラスター形式に変換した描画情報を各表面効果の種類毎に統合し、統合した各表面効果の種類毎の該描画領域群を同一頁上のデータ群とみなし、該描画領域群に含まれる各描画領域の位置関係や前後関係といった情報をもとに画像データを生成することによって、表面効果の種類毎に、第２光沢制御版画像データを生成する。
【０２２３】
このように、本実施形態では、分類画像データ生成部２０１Ｆは、第２有色版画像データ、及び第２クリア版画像データに加えて更に、表面効果の種類毎の第２光沢制御版画像データを生成する。
【０２２４】
分類画像データ記憶部２０１Ｇは、分類画像データ生成部２０１Ｆで生成された、各表示画像データを記憶する（図２２の分類画像データ記憶部２０１Ｇも参照）。
【０２２５】
表示管理情報記憶部２０１Ｉは、管理テーブルを格納する。管理テーブルは、光沢領域に対応する表示管理情報と、透明画像に対応する表示管理情報と、を格納する。本実施形態の表示管理情報記憶部２０１Ｉでは、光沢領域の表面効果の各種類毎に、表示管理情報を格納する。
【０２２６】
このため、本実施形態では、表面効果の種類毎に、表示部９９Ｄに表示するか否かを示す情報（表示オン情報または表示オフ情報）や、表示色情報や、透明度情報が設定される（図２２の表示管理情報記憶部２０１Ｉも参照）。
【０２２７】
受付部２０１Ｋは、表示情報、表示色情報、及び透明度情報を含む表示管理情報を操作部９９Ｂから受け付け、表示管理情報記憶部２０１Ｉの上記管理テーブルに格納する。これらの表示情報、表示色情報、及び透明度情報は、ユーザによる操作部９９Ｂの操作指示によって入力される。
【０２２８】
例えば、表示情報及び表示色情報の設定を行うときに表示部９９Ｄに表示するための入力画面を示す入力画面情報を、予め表示管理情報記憶部２０１Ｉに記憶しておく。そして、操作部９９Ｂのユーザによる操作によって、表示情報及び表示色情報の設定開始を示す信号が表示処理部１５に入力される。すると、受付部２０１Ｋは、表示管理情報記憶部２０１Ｉに格納されている入力画面情報の入力画面を表示部９９Ｄに表示する。そして、ユーザによる操作部９９Ｂによる操作指示によって、表示情報及び表示色情報が設定される。
【０２２９】
例えば、表示部９９Ｄに、上述した図１２（Ａ）に示す入力画面１０９０を表示する。そして、入力画面１０９０において、表面効果の与えられる光沢領域の表示の有無を選択するためのチェックボックス１０９Ｃにチェックマークが入力されたとする。この場合、本実施形態では、受付部２０１Ｋは、光沢領域の表示有りを示す表示ＯＮ（表示オン）情報を表示情報として、光沢領域を示す情報に対応づけて管理テーブルに格納する。また、ユーザによる操作部９９Ｂの指示によって切り替えボタン１０９Ｄが操作指示されると、表示部９９Ｄには、図２３に示すように、表面効果の種類毎に、表示を行うか否かを示す表示情報、表示色情報、透明度情報を設定するための入力画面１１５が表示される。
【０２３０】
入力画面１１５には、表面効果の与えられる領域である光沢領域を選択するための選択ボタン１１５Ａが表示される。また、入力画面１１５には、該選択ボタン１１５Ａによって選択された光沢領域の表示の有無を選択するための選択ボタン１１５Ｂが表示されている。また、入力画面１１５には、該選択ボタン１１５Ａによって選択された光沢領域の表示時の色である表示色を設定するための表示色設定欄１１５Ｃ、及び該光沢領域の表示時の透明度を設定するための透明度設定欄１１５Ｄが含まれる。そして、ユーザによる操作部９９Ｂの操作によって、表面効果の種類毎に、表示の有無、表示色、及び表示時の透明度が設定可能となっている。
【０２３１】
図２３に示す例では、表面効果の与えられる領域である表面効果の種類である「つや消し」については、表示有りを示す情報が設定され、表示色として水色、透明度として８０％が設定されている。
【０２３２】
この場合、受付部２０１Ｋは、表面効果の与えられる領域である表面効果の種類である「つや消し」に対応して、表示オン情報、表示色情報として「水色」を示す情報、透明度情報として「８０％」を示す情報を、表面効果の種類である「つや消し」を示す情報に対応づけて管理テーブルに格納する。
【０２３３】
なお、この表面効果の種類を示す情報は、表面効果の種類に対応する濃度値を示す情報であってもよい。
【０２３４】
図２に戻り、説明を続ける。表示画像生成部２０１Ｍは、分類画像データ記憶部２０１Ｇに格納されている第２光沢制御版画像データによって示される、表面効果の種類毎の光沢領域の色及び透明度を、表示管理情報記憶部２０１Ｉに格納されている光沢領域の表面効果の種類に対応する表示色情報（第１表示色情報）の表示色及び透明度情報の透明度に変換し、第３光沢制御版画像データを生成する。
【０２３５】
同様に、表示画像生成部２０１Ｍは、表示画像生成部２００Ｍと同様にして、分類画像データ記憶部２０１Ｇに格納されている第２クリア版画像データの透明画像の色及び透明度を、表示管理情報記憶部２０１Ｉに格納されている透明画像に対応する表示色情報（第２表示色情報）の表示色及び透明度情報の透明度に変換し、第３クリア版画像データを生成する。
【０２３６】
合成画像生成部２０１Ｈは、表示画像生成部２０１Ｍで生成された、第３光沢制御版画像データ及び第３クリア版画像データの少なくとも一方と、分類画像データ記憶部２０１Ｇに格納されている第２有色版画像データと、を合成し、原稿データの印刷結果を推定したプレビュー画像を示す、合成画像を生成する。
【０２３７】
具体的には、合成画像生成部２０１Ｈは、表示管理情報記憶部２０１Ｉに格納されている管理テーブルを読取り、表面効果の種類毎の光沢領域、及び透明画像の内、表示オンを示す表示情報の対応づけられた表面効果の種類及び透明画像を読み取る。そして、合成画像生成部２０１Ｈは、表示情報が表示オンを示す表面効果の種類に対応する第３光沢制御版画像データを表示画像生成部２０１Ｍから読み取り、表示オンを示す透明画像の第３クリア版画像データを表示画像生成部２０１Ｍから読み取る。
【０２３８】
そして、合成画像生成部２０１は、第２有色画像データと、読み取った第３光沢制御版画像データ及び第３クリア版画像データを合成し、合成画像を生成する。
【０２３９】
表示制御部２０１Ｊは、合成画像生成部２０１Ｈで生成された合成画像を表示部９９Ｄに表示する。
【０２４０】
次に、表示処理部１５で実行する表示処理を説明する。
【０２４１】
図２２には、表示処理部１５における画像表示処理の手順を示すシーケンス図を示した。なお、図２２は、図１１に示す原稿データの印刷結果を推定した表示画像を表示部９９Ｄに表示するまでの、画像表示処理の手順を示すシーケンス図である。
【０２４２】
まず、表示処理部１５では、図１２に示す入力画面１０９０を表示部９９Ｄに表示する。そして、ユーザによる操作部９９Ｂの操作指示によって、表示対象の原稿データの選択指示を行うためのＰＤＦ選択ボタン１０９Ｅが操作指示される。そして、プレビュー対象の原稿データが選択されると、原稿データ受付部２００Ａが該指示された原稿データを読み取り、一次メモリ２０１Ｂに展開する（ＳＥＱ１、ＳＥＱ２）。
【０２４３】
次に、構造解析部２００Ｂは、ユーザによる操作部９９Ｂの操作指示によって表示対象の頁が選択されると（ＳＥＱ４）、該選択結果に対応する頁の原稿データを一次メモリ２０１Ｂから読み取り、解析する（ＳＥＱ３、ＳＥＱ５）。
【０２４４】
そして構造解析部２００Ｂは、解析結果であるオブジェクト構造リストを、オブジェクト構造リスト記憶部２００Ｃに格納する（ＳＥＱ６）。
【０２４５】
分類部２０１Ｄは、オブジェクト構造リスト記憶部２００Ｃに格納された、オブジェクト構造リストに示される各オブジェクト１〜オブジェクト５を、第１有色版画像データによって特定される有色画像の描画領域群、第１クリア版画像データによって特定される透明画像の描画領域群、及び第１光沢制御版画像データによって特定される表面効果の種類毎の光沢領域の描画領域群に分類し、オブジェクト分類リストを生成する（ＳＥＱ５３０、ＳＥＱ５３１）。
【０２４６】
図１１に示す原稿データの内、オブジェクト３〜オブジェクト５は、光沢領域の描画情報の各々を示す。そして、図１１に示すように、オブジェクト３とオブジェクト４は、同じ濃度値（９８％）が設定されていることから、表面効果の種類が同じである。一方、オブジェクト５は、濃度値が２％であり、オブジェクト３及びオブジェクト４とは表面効果の種類が異なる。
【０２４７】
このため、分類部２０１Ｄは、オブジェクト３〜オブジェクト５の内、オブジェクト３及びオブジェクト４を、同じ表面効果の種類のオブジェクト群に分類する。そして、オブジェクト５については、異なる表面効果の種類のオブジェクト群に分類する。
【０２４８】
そして、分類画像データ生成部２０１Ｆは、オブジェクト分類リストによって示される、有色画像のオブジェクト群を統合し、第２有色版画像データを生成する。また、分類画像データ生成部２０１Ｆは、オブジェクト分類リストによって示される、透明画像のオブジェクト群から、第２クリア版画像データを生成する。さらに、分類画像データ生成部２０１Ｆは、表面効果の種類毎のオブジェクト群の各々から、表面効果の種類毎に、第２光沢制御版画像データを生成する。これによって、分類画像データ生成部２０１Ｆは、第２有色版画像データ、第２クリア版画像データ、及び表面効果の種類毎の第２光沢制御版画像データを生成する（ＳＥＱ５３２，ＳＥＱ５３３）。
【０２４９】
表示画像生成部２０１Ｍは、分類画像データ記憶部２０１Ｇに格納されている各表面効果の種類毎の第２光沢制御版画像データの光沢領域の色及び透明度を、表示管理情報記憶部２０１Ｉに格納されている光沢領域の各表面効果の種類の各々に対応する表示色情報（第１表示色情報）の表示色及び透明度情報の透明度に変換し、表面効果の種類毎の第３光沢制御版画像データを生成する。また、表示画像生成部２０１Ｍは、分類画像データ記憶部２０１Ｇに格納されている第２クリア版画像データの透明画像の色及び透明度を、表示管理情報記憶部２０１Ｉに格納されている透明画像に対応する表示色情報（第２表示色情報）の表示色及び透明度情報の透明度に変換し、第３クリア版画像データを生成する（ＳＥＱ５３４、ＳＥＱ５３５）。
【０２５０】
なお、表示管理情報記憶部２０１Ｉの上記管理テーブルは、操作部９９Ｂから受け付けた、表示情報、表示色情報、及び透明度情報を含む表示管理情報を格納する（ＳＥＱ５３７）。
【０２５１】
合成画像生成部２０１Ｈは、表面効果の種類毎の表示画像データ、及びクリア版の表示画像データの内、表示管理情報記憶部２０１Ｉに格納されている管理テーブルの表示情報として表示オンの設定された表示画像データと、有色版の表示画像データと、を合成し、１枚の表示画像を生成する（ＳＥＱ５３４，ＳＥＱ５３５）。合成画像生成部２０１Ｈは、表示画像生成部２０１Ｍで生成され、表示オンの設定された、第３クリア版画像データ、各表面効果の種類毎の第３光沢制御版画像データと、分類画像データ記憶部２０１Ｇに格納されている第２有色版画像データと、を合成し、原稿データの印刷結果を推定したプレビュー画像を示す、合成画像を生成する（ＳＥＱ５３６）。
【０２５２】
そして、合成画像生成部２０１Ｈで生成された合成画像は、図２２では図示を省略する表示制御部２０１Ｊによって、表示部９９Ｄに表示される（ＳＥＱ５３８）。
【０２５３】
上述した画像表示処理を実行することによって、例えば、下記の表示画像が表示される。
【０２５４】
たとえば、図２４に示すように、第２有色版画像データ７００と、表面効果の種類が鏡面光沢（ＰＧ）（濃度９８％）の第２光沢制御版画像データ７０３と、表面効果の種類がつや消し（ＰＭ）（濃度２％）の第２光沢制御版画像データ７０５と、第２クリア版表示画像データ７０４と、が分類画像データ記憶部２０１Ｇに記憶されていたとする。
【０２５５】
また、表面効果の種類が鏡面光沢（ＰＧ）（濃度９８％）の表示色として水色７０６が設定され、表面効果の種類がつや消し（ＰＭ）（濃度２％）の表示色として水色７０６が設定されていたとする。また、クリア版の表示色として赤色７０８が設定されていたとする。
【０２５６】
この場合には、表示画像生成部２０１Ｍは、鏡面光沢（ＰＧ）（濃度９８％）の第２光沢制御版画像データ７０３の色を水色７０６に変更した第３光沢制御版画像データ７０３Ａ、つや消し（ＰＭ）（濃度２％）の第２光沢制御版画像データ７０５の色を水色７０６に変更した第３光沢制御版画像データ７０５Ａ、鏡面光沢（ＰＧ）（濃度９８％）の第２光沢制御版画像データ７０３の色を水色７０６に変更した第３光沢制御版画像データ７０３Ａ、第２クリア版画像データ７０４の色を赤色７０８に変更した第３クリア版画像データ７０４Ａを生成する。
【０２５７】
そして、表示管理情報記憶部２０１Ｉに格納されている表示情報が、鏡面光沢（ＰＧ）（濃度９８％）については表示有り（表示オン）を示し、つや消し（ＰＭ）（濃度２％）及び透明画像については表示無し（表示オフ）を示すとする。
【０２５８】
そして、合成画像生成部２０１Ｈは、鏡面光沢（ＰＧ）（濃度９８％）の第２光沢制御版画像データ７０３の色を水色７０６に変更した第３光沢制御版画像データ７０３Ａと、第２有色版画像データ７００と、を合成し、合成画像の合成画像データ７３０を生成する。このため、この場合、表示部９９Ｄには、合成画像データ７３０の合成画像が表示される。
【０２５９】
そして、表示管理情報記憶部２０１Ｉに格納されている表示情報が、鏡面光沢（ＰＧ）（濃度９８％）及び透明画像については表示無し（表示オフ）を示し、つや消し（ＰＭ）（濃度２％）については表示有り（表示オン）を示すとする。この場合には、合成画像生成部２０１Ｈは、つや消し（ＰＭ）（濃度２％）の第２光沢制御版画像データ７０５の色を水色７０６に変更した第３光沢制御版画像データ７０５Ａと、第２有色版画像データ７００と、を合成し、合成画像データ７３２を生成する。このため、この場合、表示部９９Ｄには、合成画像データ７３２の合成画像が表示される。
【０２６０】
また、表示管理情報記憶部２０１Ｉに格納されている表示情報が、鏡面光沢（ＰＧ）（濃度９８％）、透明画像については表示無し（表示オフ）、及びつや消し（ＰＭ）（濃度２％）については表示有り（表示オン）を示すとする。この場合には、合成画像生成部２０１Ｈは、つや消し（ＰＭ）（濃度２％）の第２光沢制御版画像データ７０５の色を水色７０６に変更した第３光沢制御版画像データ７０５Ａと、鏡面光沢（ＰＧ）（濃度９８％）の第２光沢制御版画像データ７０３の色を水色７０６に変更した第３光沢制御版画像データ７０３Ａと、第２クリア版画像データ７０４の色を赤色７０８に変更した第３クリア版画像データ７０４Ａと、第２有色版画像データ７００と、を合成し、合成画像データ７３４を生成する。このため、この場合、表示部９９Ｄには、合成画像データ７３４の合成画像が表示される。
【０２６１】
以上説明したように、本実施形態によれば、表面効果の種類毎に第２光沢制御版画像データを生成し、表示情報によって表示有り（表示オン）を指定された、表面効果の種類の第３光沢制御版画像データ、第３クリア版画像データ、及び第２有色版画像データを合成して合成画像を生成する。そして、この合成画像を表示部９９Ｄに表示する。
【０２６２】
このため、実施形態１に加えて、表面効果の種類毎に、更に表示を切り替えることができる。
【０２６３】
以上、本発明の各実施形態について説明したが、本発明は上述の各実施形態に限定されるものではなく、本発明の要旨を逸脱しない範囲内で種々の変形が可能である。
【０２６４】
例えば、上記に説明した各実施形態では、表示処理部１５は、ホスト装置１１、１１Ａに設けられている場合を説明したが、表示処理部１５を、ＤＦＥ３０に設けた構成であってもよい。
【０２６５】
また、本実施形態では、透明画像の印刷や表面効果の付与のために、クリアトナーを用いる場合を説明したが、透明現像剤を含む色材であればよく、トナーに限られない。例えば、クリアトナーに代えて、透明な現像液を用いてもよい。
【０２６６】
また、プリンタ機５０では、ＣＭＹＫの複数の色のトナーを用いて画像を形成するようにしたが、１色のトナーを用いて画像を形成するようにしてもよい。
【０２６７】
（実施形態３）
実施形態１〜実施形態２では、ホスト装置１１、ホスト装置１１Ａで合成画像を生成するように構成したが、これに限定されるものではない。
【０２６８】
すなわち、一の装置で行っていた複数の処理のいずれかを、一の装置とネットワークを介して接続する１以上の他の装置で行う構成にしてもよい。
【０２６９】
その一例として、本実施形態に係る画像形成システムでは、ホスト装置の機能の一部を、ネットワーク上のサーバ装置上に実装している。
【０２７０】
図２５は、本実施形態に係る画像形成システムの構成を例示する図である。図２５に示すように、本実施形態の画像形成システム１００Ｄは、ホスト装置１１０と、ＤＦＥ３０と、ＭＩＣ４０と、印刷装置６０と、を備えている。
【０２７１】
本実施形態では、ホスト装置１１０が、インターネット等のネットワークを介して、サーバ装置３０６０と接続された構成となっている。また、本実施形態では、実施形態１のホスト装置１１における解析部２００Ｌ、分類画像データ生成部２００Ｆ、表示画像生成部２００Ｍ、及び合成画像生成部２００Ｈの機能を、サーバ装置３０６０に設けた構成となっている。
【０２７２】
ここで、ホスト装置１１０、ＤＦＥ３０、ＭＩＣ４０、及び印刷装置６０の構成は、実施形態１と同様である。
【０２７３】
すなわち、具体的には、本実施形態では、ホスト装置１１０がインターネット等のネットワーク（クラウド）を介して、単一のサーバ装置３０６０に接続し、サーバ装置３０６０は、実施形態１の解析部２００Ｌ、分類画像データ生成部２００Ｆ、表示画像生成部２００Ｍ、及び合成画像生成部２００Ｈの機能を設けて、サーバ装置３０６０で、合成画像の生成処理を行うように構成している。
【０２７４】
まず、サーバ装置３０６０について説明する。図２６は、本実施形態にかかるサーバ装置３０６０の機能的構成を示すブロック図である。サーバ装置３０６０は、記憶部３０７０と、解析部３０６１と、分類画像データ生成部３０６２と、表示画像生成部３０６３と、合成画像生成部３０６４と、通信部３０６５と、を主に備えている。
【０２７５】
通信部３０６５は、ホスト装置１１０との間で各種データや要求の送受信を行う。より具体的には、通信部３０６５は、ホスト装置１１０から、原稿データ、及び表示管理情報記憶部２００Ｉに格納されている管理テーブルに格納されている情報である表示情報を含む第１データを受信する。また、通信部３０６５は、合成画像生成部３０６４で生成された合成画像を、ホスト装置１１０へ送信する。
【０２７６】
解析部３０６１、分類画像データ生成部３０６２、表示画像生成部３０６３、及び合成画像生成部３０６４の機能は、各々、実施形態１で説明した、解析部２００Ｌ、分類画像データ生成部２００Ｆ、表示画像生成部２００Ｍ、及び合成画像生成部２００Ｈの機能と同様である。
【０２７７】
記憶部３０７０は、ＨＤＤやメモリ等の記憶媒体であり、オブジェクト構造リスト、分類画像データ生成部３０６２で生成された、第２有色版画像データ、第２光沢制御版画像データ、及び第２クリア版画像データを記憶する。また、記憶部３０７０は、解析部３０６１で分類された、オブジェクト分類リストを記憶する。また、記憶部３０７０は、通信部３０６５が受信した第１データを記憶する。
【０２７８】
次に、ホスト装置１１０について説明する。
【０２７９】
図２７は、ホスト装置１１０を示す機能ブロック図である。ホスト装置１１０は、表示部９９Ｄと、入力部９９Ａと、操作部９９Ｂと、出力部９９Ｃ、制御部１１１Ｃと、を備える。制御部１１１Ｃは、原稿データ生成部１０、印刷データ生成部２０、及び表示処理部１５Ｃを備える。
【０２８０】
原稿データ生成部１０、及び印刷データ生成部２０は、実施形態１と同様である。
【０２８１】
表示処理部１５Ｃは、原稿データ受付部２００Ａ、通信部２００Ｐ、受付部２００Ｋ、表示管理情報記憶部２００Ｉ、及び表示制御部２００Ｊを備える。原稿データ受付部２００Ａ、受付部２００Ｋ、表示管理情報記憶部２００Ｉ、及び表示制御部２００Ｊは、実施形態１と同様である。
【０２８２】
通信部２００Ｐは、ホスト装置１１０へ第１データを送信する。また、通信部２００Ｐは、ホスト装置１１０から合成画像を受信する。
【０２８３】
次に、本実施形態のホスト装置１１０の表示処理部１５Ｃで実行する画像表示処理について説明する。
【０２８４】
図２８は、ホスト装置１１０の表示処理部１５Ｃで実行する画像表示処理の手順を示すフローチャートである。
【０２８５】
まず、原稿データ受付部２００Ａが、原稿データを受け付ける（ステップＳ２０００）。原稿データ受付部２００Ａで受け付けられた原稿データは、一次メモリ２０１Ｂに展開される。
【０２８６】
次に、通信部２００Ｐが、上記ステップＳ２０００で受け付けた原稿データ、及び表示情報記憶部２００Ｉに格納されている表示情報を含む第１データを、サーバ装置３０６０へ送信する（ステップＳ２０１０）。
【０２８７】
次に、通信部２００Ｐが、サーバ装置３０６０から合成画像を受信するまで否定判断を繰り返す（ステップＳ２０２０：Ｎｏ）。ステップＳ２０２０で肯定判断すると（ステップＳ２０２０：Ｙｅｓ）、ステップＳ２０４０へ進む。
【０２８８】
ステップＳ２０４０では、表示制御部２００Ｊが、ステップＳ２０２０で受信した合成画像を表示部９９Ｄへ表示する制御を行う（ステップＳ２０４０）。そして、本ルーチンを終了する。
【０２８９】
次に、サーバ装置３０６０で実行する画像処理の手順を説明する。図２９は、サーバ装置３０６０で実行する画像処理の手順を示すフローチャートである。
【０２９０】
まず、サーバ装置３０６０の通信部３０６５が、ホスト装置１１０から第１データを受信したか否かを判断する（ステップＳ４０００）。ステップＳ４０００で否定判断すると（ステップＳ４０００：Ｎｏ）、本ルーチンを終了する。
【０２９１】
一方、ステップＳ４０００で肯定判断すると（ステップＳ４０００：Ｙｅｓ）、ステップＳ４０２０へ進む。
【０２９２】
ステップＳ４０２０では、解析部３０６１が、上記ステップＳ４０００で受信した第１データに含まれる原稿データのデータ構造を解析し、原稿データの各ページに含まれるオブジェクトを示すオブジェクト構造リストを作成する（ステップＳ４０２０）。そして、解析部３０６１は、オブジェクト構造リストを記憶部３０７０に格納する（ステップＳ４０４０）。
【０２９３】
次いで、解析部３０６１が、実施形態１におけるステップＳ４０６（図１４参照）と同様にして、原稿データの分離処理を実行し、オブジェクト分類リストを生成する（ステップＳ４０６０）。
【０２９４】
そして、分類画像データ生成部３０６２が、表示用のイメージデータとして、第２有色版画像データ、第２光沢制御版画像データ、及び第２クリア版画像データを生成し、記憶部３０７０に格納する（ステップＳ４０８０、ステップＳ４１００）。なお、ステップＳ４０８０の処理は、図１４で説明したステップＳ４０８の処理と同様である。
【０２９５】
次に、表示画像生成部３０６３が、第３光沢制御版画像データ、及び第３クリア版画像データを生成する、表示画像生成処理を行う（ステップＳ４１２０）。
【０２９６】
次に、合成画像生成部３０６４が、原稿データの印刷結果を推定したプレビュー画像を示す合成画像を生成する、合成画像生成処理を行う（ステップＳ４１３０）。なお、ステップＳ４１３０の処理は、図１４で説明したステップＳ４１３の処理と同様である。
【０２９７】
次に、通信部３０６５が、ステップＳ４１３０で生成された合成画像を、ホスト装置１１０へ送信し（ステップＳ４１４０）、本ルーチンを終了する。
【０２９８】
以上説明したように、本実施形態では、合成画像の生成を、クラウド上のサーバ装置３０６０で行っているので、実施形態１の効果の他、複数のホスト装置１１０が存在する場合でも、合成画像の生成を一括して行うことができ、管理者の便宜となる。
【０２９９】
なお、本実施形態では、クラウド上の単一のサーバ装置３０６０に、解析部３０６１、分類画像データ生成部３０６２、表示画像生成部３０６３、及び合成画像生成部３０６４を設けた構成としたが、これに限定されるものではない。
【０３００】
例えば、クラウド上に２以上のサーバ装置を設け、上記各処理を、２以上のサーバ装置で分散させて実行するように構成してもよい。なお、各処理の各サーバ装置への分散の形態はこれに限定されるものではなく、任意に行うことができる。
【０３０１】
すなわち、ホスト装置１１０に入力部９９Ａ、出力部９９Ｃ、表示制御部２００Ｊ、及び通信部２００Ｐ等の最低限の構成を設ければ、各処理の一部または全部をクラウド上の一つのサーバ装置に集中して設けたり、複数のサーバ装置に分散させて設けたりすることは任意に行うことができる。
【０３０２】
言い換えると、上述の例のように、一の装置で行っていた複数の処理のいずれかを、一の装置とネットワークを介して接続する１以上の他の装置で行う構成にすることができる。
【０３０３】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０３０４】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０３０５】
また、本実施形態では、サーバ装置３０６０などの１または複数のサーバ装置を、クラウド上に設けているが、これに限定されるものではない。例えば、サーバ装置３０６０などの１または複数のサーバ装置を、イントラネット上に設ける等、あらゆるネットワーク上に設けた構成としてもよい。
【０３０６】
次に、上述した実施形態のホスト装置１１、１１Ａ、１１０、ＤＦＥ３０、及びサーバ装置３０６０のハードウェア構成について説明する。
【０３０７】
図３０は、本実施形態のホスト装置１１、１１Ａ、１１０、ＤＦＥ３０、及びサーバ装置３０６０のハードウェア構成例を示すブロック図である。本実施形態のホスト装置１１、１１Ａ、１１０、ＤＦＥ３０、及びサーバ装置３０６０は、ＣＰＵなどの制御装置１０１０と、ＲＯＭ（Ｒｅａｄ  Ｏｎｌｙ  Ｍｅｍｏｒｙ）やＲＡＭなどの主記憶装置１０２０と、ＨＤＤ、ＣＤドライブ装置などの補助記憶装置１０３０と、ディスプレイ装置などの表示装置１０４０と、キーボードやマウスなどの入力装置１０５０と、を備えており、通常のコンピュータを利用したハードウェア構成となっている。
【０３０８】
本実施形態のホスト装置１１、１１Ａ、１１０、ＤＦＥ３０、及びサーバ装置３０６０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０３０９】
また、本実施形態のホスト装置１１、１１Ａ、１１０、ＤＦＥ３０、及びサーバ装置３０６０で実行されるプログラムを、インターネット等のネットワークに接続されたコンピュータ上に格納し、ネットワーク経由でダウンロードさせることにより提供するように構成してもよい。また、本実施形態のホスト装置１１、１１Ａ、１１０、ＤＦＥ３０、及びサーバ装置３０６０で実行されるプログラムをインターネット等のネットワーク経由で提供または配布するように構成しても良い。また、本実施形態のホスト装置１１、１１Ａ、１１０、ＤＦＥ３０、及びサーバ装置３０６０で実行される制御プログラムを、ＲＯＭ等に予め組み込んで提供するように構成してもよい。
【０３１０】
本実施形態のホスト装置１１、１１Ａ、１１０、ＤＦＥ３０、及びサーバ装置３０６０で実行されるプログラムは、上述した各部を含むモジュール構成となっており、実際のハードウェアとしてはＣＰＵ（プロセッサ）が上記記憶媒体から制御プログラムを読み出して実行することにより上記各部が主記憶装置上にロードされ、上記各部が主記憶装置上に生成されるようになっている。なお、上述の実施形態では、ホスト装置１１、１１Ａ、１１０、ＤＦＥ３０、及びサーバ装置３０６０が本実施形態に係る処理を実行しているが、これに限らず、本実施形態に係る処理を実行する装置の種類は任意であり、例えばＰＣで処理を実行することもできる。
【０３１１】
なお、上述した実施形態において、画像形成システム１００は、ホスト装置１１（１１Ａ、１１０）、ＤＦＥ３０、ＭＩＣ４０、印刷装置６０を備えるように構成したが、これに限らない。例えば、ホスト装置１１（１１Ａ、１１０）、ＤＦＥ３０、ＭＩＣ４０、印刷装置６０を一体的に形成して１つの画像形成装置として構成するようにしてもよい。
【０３１２】
また、ＭＩＣ４０とプリンタ機５０とを一体的に構成してもよい。
【０３１３】
また、上述した実施形態のプリンタシステムは、ＭＩＣ４０を備えた構成としているが、これに限定されるものではない。上述したＭＩＣ４０が行う処理、機能をＤＦＥ３０等の他の装置にもたせて、ＭＩＣ４０を設けない構成としてもよい。
【符号の説明】
【０３１４】
１００、１００Ｄ  画像形成システム
１１、１１Ａ、１１０  ホスト装置
１０  原稿データ生成部
１５、１５Ｃ  表示処理部
２０  印刷データ生成部
３０  ＤＦＥ
９９Ｂ  操作部
９９Ｄ  表示部
２００Ａ  原稿データ受付部
２００Ｂ  構造解析部
２００Ｄ、２０１Ｄ  分類部
２００Ｆ、２０１Ｆ、３０６２  分類画像データ生成部
２００Ｈ、２０１Ｈ、３０６４  合成画像生成部
２００Ｉ、２０１Ｉ  表示管理情報記憶部
２００Ｊ、２０１Ｊ  表示制御部
２００Ｋ、２０１Ｋ  受付部
２００Ｌ、３０６１  解析部
２００Ｍ、２０１Ｍ、３０６３  表示画像生成部
【先行技術文献】
【特許文献】
【０３１５】
【特許文献１】特開２００８−１４５７８４号公報
【図１】
0005994485.tif 000002
【図２】
0005994485.tif 000003
【図３】
0005994485.tif 000004
【図４】
0005994485.tif 000005
【図５】
0005994485.tif 000006
【図６】
0005994485.tif 000007
【図７】
0005994485.tif 000008
【図８】
0005994485.tif 000009
【図１０】
0005994485.tif 000010
【図１１】
0005994485.tif 000011
【図１２】
0005994485.tif 000012
【図１３】
0005994485.tif 000013
【図１４】
0005994485.tif 000014
【図１５】
0005994485.tif 000015
【図１６】
0005994485.tif 000016
【図１７】
0005994485.tif 000017
【図１８】
0005994485.tif 000018
【図１９】
0005994485.tif 000019
【図２０】
0005994485.tif 000020
【図２１】
0005994485.tif 000021
【図２２】
0005994485.tif 000022
【図２３】
0005994485.tif 000023
【図２４】
0005994485.tif 000024
【図２５】
0005994485.tif 000025
【図２６】
0005994485.tif 000026
【図２７】
0005994485.tif 000027
【図２８】
0005994485.tif 000028
【図２９】
0005994485.tif 000029
【図３０】
0005994485.tif 000030
【図９】
0005994485.tif 000031